(57)【特許請求の範囲】
【請求項１】
移動ネットワークから端末デバイス（２００）へのページング情報の送信のための方法であって、
不連続受信周期に従って、前記端末デバイス（２００）が、前記端末デバイス（２００）が前記移動ネットワークによって送信されるダウンリンク制御チャネルを監視していないスリープモードに入るステップと、
前記端末デバイス（２００）が、前記スリープモードを離れるための促進ウェイクアップ時間として、前記不連続受信周期のアクティブ時間の開始に関する促進時間間隔によって進められる促進ウェイクアップ時間を判定するステップと、
前記判定した促進ウェイクアップ時間で、前記端末デバイス（２００）が、前記スリープモードを離れ、前記移動ネットワークから、前記ページング情報の送信に対するページングオケージョンを定義するページングコンフィグレーション情報に関する前記ダウンリンク制御チャネルの監視を開始するステップと、
前記ダウンリンク制御チャネルを監視した後、前記端末デバイス（２００）が、前記スリープモードへ再度入るステップと、
前記不連続受信周期の前記アクティブ時間の開始時に、前記端末デバイス（２００）が、前記ページングオケージョンを監視するために前記スリープモードを離れるステップと、
前記ページングコンフィグレーション情報に基づいて、前記端末デバイス（２００）が、前記移動ネットワークから前記ページング情報を受信するために、前記ページングオケージョンを監視するステップと
を備えることを特徴とする方法。
【請求項２】
前記端末デバイス（２００）が、前記ページングコンフィグレーション情報の過去の変化に関連する履歴データを保持するステップと、
前記端末デバイス（２００）が、前記履歴データに基づいて、前記促進時間間隔を判定するステップと
を更に備えることを特徴とする請求項１に記載の方法。
【請求項３】
前記端末デバイス（２００）が、前記スリープモードへ入る時点と、前記不連続受信周期の前記アクティブ時間の開始時点との間のスリープ期間の長さに基づいて、前記促進時間間隔を判定するステップを更に備える
ことを特徴とする請求項１又は２に記載の方法。
【請求項４】
前記端末デバイス（２００）が、少なくとも１つの確率値を判定するステップと、
前記端末デバイス（２００）が、前記少なくとも１つの確率値に基づいて、前記促進時間間隔を判定するステップと
を更に備えることを特徴とする請求項１乃至３のいずれか１項に記載の方法。
【請求項５】
前記少なくとも１つの確率値は、前記端末デバイス（２００）が前記スリープモードに入っていた間に前記ページングコンフィグレーション情報が変更している確率を表している
ことを特徴とする請求項４に記載の方法。
【請求項６】
前記少なくとも１つの確率値は、前記端末デバイス（２００）が前記スリープモードに入っていた間に前記端末デバイス（２００）が前記移動ネットワークの別のセルへ移動している確率を表している
ことを特徴とする請求項４または５に記載の方法。
【請求項７】
前記少なくとも１つの確率値は、前記端末デバイス（２００）が前記ページングオケージョンを監視することを失敗する確率を表している
ことを特徴とする請求項４乃至６のいずれか１項に記載の方法。
【請求項８】
前記端末デバイス（２００）は、前記移動ネットワークから前記少なくとも１つの確率値を受信する
ことを特徴とする請求項４乃至７のいずれか１項に記載の方法。
【請求項９】
前記端末デバイス（２００）が、前記ページングコンフィグレーション情報を受信するために前記端末デバイス（２００）によって要求される受信ステップ群の数に基づいて、前記促進時間間隔を判定するステップを更に備える
ことを特徴とする請求項１乃至８のいずれか１項に記載の方法。
【請求項１０】
前記端末デバイス（２００）が、前記移動ネットワークへ前記促進時間間隔を指示するステップを更に備える
ことを特徴とする請求項１乃至９のいずれか１項に記載の方法。
【請求項１１】
前記端末デバイス（２００）が、前記移動ネットワークから前記促進時間間隔の指示を受信するステップを更に備える
ことを特徴とする請求項１乃至９のいずれか１項に記載の方法。
【請求項１２】
前記端末デバイス（２００）が、前記不連続受信周期の前記アクティブ時間の開始前に、前記ページング情報を受信するステップを更に備える
ことを特徴とする請求項１乃至１１のいずれか１項に記載の方法。
【請求項１３】
前記端末デバイス（２００）が、前記ページングオケージョンの監視における失敗を検出するステップと、
前記端末デバイス（２００）が、前記移動ネットワークへ前記失敗を指示するステップと
を更に備えることを特徴とする請求項１乃至１２のいずれか１項に記載の方法。
【請求項１４】
不連続受信周期に従って、端末デバイス（２００）が移動ネットワークによって送信されるダウンリンク制御チャネルを監視していないスリープモードへ入るように構成されている前記端末デバイス（２００）へ、前記移動ネットワークからページング情報を送信するための方法であって、
ネットワークノード（１００、３００）が、前記端末デバイス（２００）が前記スリープモードを離れているための促進ウェイクアップ時間を定義する促進時間間隔を判定するステップであって、前記促進ウェイクアップ時間は、前記不連続受信周期のアクティブ時間の開始に関する前記促進時間間隔によって進められる、判定するステップと、
前記ネットワークノード（１００、３００）が、前記判定した促進時間間隔に基づいて、前記ページング情報の送信を制御するステップと
を備え、
前記端末デバイス（２００）は、
前記判定した促進時間間隔で定義される前記促進ウェイクアップ時間で、前記スリープモードを離れ、前記移動ネットワークから、前記ページング情報の送信に対するページングオケージョンを定義するページングコンフィグレーション情報に関する前記ダウンリンク制御チャネルの監視を開始し、前記ダウンリンク制御チャネルを監視した後、前記スリープモードへ再度入り、前記不連続受信周期の前記アクティブ時間の開始時に、前記ページングオケージョンを監視するために前記スリープモードを離れることを特徴とする方法。
【請求項１５】
前記ネットワークノード（１００、３００）が、前記ページングコンフィグレーション情報の過去の変更に関する履歴データを保持するステップと、
前記ネットワークノード（１００、３００）が、前記履歴データに基づいて、前記促進時間間隔を判定するステップと
を更に備えることを特徴とする請求項１４に記載の方法。
【請求項１６】
前記ネットワークノード（１００、３００）が、前記スリープモードへ入る時点と、前記不連続受信周期の前記アクティブ時間の開始時点との間のスリープ期間の長さに基づいて、前記促進時間間隔を判定するステップを更に備える
ことを特徴とする請求項１４または１５に記載の方法。
【請求項１７】
前記ネットワークノード（１００、３００）が、少なくとも１つの確率値を判定するステップと、
前記ネットワークノード（１００、３００）が、前記判定した少なくとも１つの確率値に基づいて、前記促進時間間隔を判定するステップと
を更に備えることを特徴とする請求項１４乃至１６のいずれか１項に記載の方法。
【請求項１８】
前記少なくとも１つの確率値は、前記端末デバイス（２００）が前記スリープモードに入っていた間に前記ページングコンフィグレーション情報が変更している確率を表している
ことを特徴とする請求項１７に記載の方法。
【請求項１９】
前記少なくとも１つの確率値は、前記端末デバイス（２００）が前記スリープモードに入っていた間に前記端末デバイス（２００）が前記移動ネットワークの別のセルへ移動している確率を表している
ことを特徴とする請求項１７または１８に記載の方法。
【請求項２０】
前記少なくとも１つの確率値は、前記端末デバイス（２００）が前記ページングオケージョンを監視することを失敗する確率を表している
ことを特徴とする請求項１７乃至１９のいずれか１項に記載の方法。
【請求項２１】
前記ネットワークノード（１００、３００）が、前記ページングコンフィグレーション情報を検索するために前記端末デバイス（２００）によって要求される受信ステップ群の数に基づいて、前記促進時間間隔を判定するステップを更に備える
ことを特徴とする請求項１４乃至２０のいずれか１項に記載の方法。
【請求項２２】
前記ネットワークノード（１００、３００）が、前記端末デバイス（２００）へ前記促進時間間隔を指示するステップを更に備える
ことを特徴とする請求項１４乃至２１のいずれか１項に記載の方法。
【請求項２３】
前記ネットワークノード（１００、３００）が、前記端末デバイス（２００）へ前記少なくとも１つの確率値を指示するステップを更に備える
ことを特徴とする請求項１４乃至２２のいずれか１項に記載の方法。
【請求項２４】
前記ネットワークノード（１００、３００）が、前記端末デバイス（２００）から前記促進時間間隔の指示を受信するステップと、
前記ネットワークノード（１００、３００）が、前記受信した前記促進時間間隔の指示に基づいて、前記促進ウェイクアップ時間を判定するステップと
を更に備えることを特徴とする請求項１４に記載の方法。
【請求項２５】
前記ネットワークノード（１００、３００）が、前記ページング情報を前記端末デバイス（２００）へ送信するためのページングオケージョンを定義するページングコンフィグレーション情報を判定するステップと、
前記促進ウェイクアップ時間の後、かつ、前記不連続受信周期の前記アクティブ時間の開始の前に、前記ネットワークノード（１００、３００）が、前記ページングコンフィグレーション情報を前記端末デバイス（２００）へ送信するステップと
を更に備えることを特徴とする請求項１４乃至２４のいずれか１項に記載の方法。
【請求項２６】
前記促進ウェイクアップ時間の後、かつ、前記不連続受信周期の前記アクティブ時間の開始の前に、前記ネットワークノード（１００、３００）が、前記ページング情報を前記端末デバイス（２００）へ送信するステップを更に備える
ことを特徴とする請求項１４乃至２５のいずれか１項に記載の方法。
【請求項２７】
前記ネットワークノード（１００、３００）が、前記端末デバイス（２００）から、前記端末デバイス（２００）による前記ページングオケージョンを監視することの失敗の指示を受信するステップと、
前記ページング情報が前記ページングオケージョンで送信された場合、前記ネットワークノード（１００、３００）が、前記ページング情報の再送信を送信するステップと
を更に備えることを特徴とする請求項１４乃至２６のいずれか１項に記載の方法。
【請求項２８】
端末デバイス（２００）であって、
移動ネットワークと前記端末デバイス（２００）との間でのデータ送信のための無線インタフェース（２３０）と、
プロセッサ（２５０）とを備え、
前記プロセッサ（２５０）は、
不連続受信周期に従って、前記端末デバイス（２００）が、前記端末デバイス（２００）が前記移動ネットワークによって送信されるダウンリンク制御チャネルを監視していないスリープモードに入るように制御し、
前記スリープモードを離れるための促進ウェイクアップ時間として、前記不連続受信周期に従うアクティブ時間の開始に関する促進時間間隔によって進められる促進ウェイクアップ時間を判定し、
前記判定した促進ウェイクアップ時間で、前記端末デバイス（２００）が、前記スリープモードを離れ、前記移動ネットワークからのページング情報の送信に対するページングオケージョンを定義するページングコンフィグレーション情報に関する前記ダウンリンク制御チャネルの監視を開始するように制御し、
前記ダウンリンク制御チャネルを監視した後、前記端末デバイス（２００）が、前記スリープモードへ再度入り、
前記不連続受信周期の前記アクティブ時間の開始時に、前記端末デバイス（２００）が、前記ページングオケージョンを監視するために前記スリープモードを離れ、
前記ページングコンフィグレーション情報に基づいて、前記端末デバイス（２００）が、前記移動ネットワークから前記ページング情報を受信するために、前記ページングオケージョンを監視するように制御する
ように構成されている
ことを特徴とする端末デバイス（２００）。
【請求項２９】
前記プロセッサ（２５０）は、請求項１乃至１４のいずれか１項に記載の方法に従って動作するように前記端末デバイス（２００）を制御する
ことを特徴とする請求項２８に記載の端末デバイス（２００）。
【請求項３０】
ネットワークノード（１００、３００）であって、
不連続受信周期に従って、移動ネットワークによって送信されるダウンリンク制御チャネルを監視していないスリープモードへ入るように構成されている端末デバイス（２００）と、前記移動ネットワークとの間でのデータ送信を制御するためのインタフェース（１３０、３３０）と、
プロセッサ（１５０、３５０）とを備え、
前記プロセッサ（１５０、３５０）は、
前記端末デバイス（２００）が前記スリープモードを離れているための促進ウェイクアップ時間を定義する促進時間間隔を判定することであって、前記促進ウェイクアップ時間は、前記不連続受信周期のアクティブ時間の開始に関する前記促進時間間隔によって進められる、判定することと、
前記判定した促進時間間隔に基づいて、ページング情報の送信を制御すること
を行うように構成され、
前記端末デバイス（２００）は、
前記判定した促進時間間隔で定義される前記促進ウェイクアップ時間で、前記スリープモードを離れ、前記移動ネットワークから、前記ページング情報の送信に対するページングオケージョンを定義するページングコンフィグレーション情報に関する前記ダウンリンク制御チャネルの監視を開始し、前記ダウンリンク制御チャネルを監視した後、前記スリープモードへ再度入り、前記不連続受信周期の前記アクティブ時間の開始時に、前記ページングオケージョンを監視するために前記スリープモードを離れ
ことを特徴とするネットワークノード（１００、３００）。
【請求項３１】
前記プロセッサ（１５０、３５０）は、前記ネットワークノード（１００、３００）を制御して、請求項１４乃至２７のいずれか１項に記載の方法に従って動作するように構成されている
ことを特徴とする請求項３０に記載のネットワークノード（１００、３００）。
【発明の詳細な説明】
【技術分野】
【０００１】
本発明は、ページング情報を送信するための方法、及びそれに対応するデバイスに関するものである。
【背景技術】
【０００２】
３ＧＰＰ（第３世代パートナシッププロジェクト）移動ネットワークのような移動ネットワークでは、様々なタイプの端末デバイスを使用することができる。例えば、マシーンタイプ通信（ＭＴＣ）端末デバイスは、従来のタイプの端末デバイスとともに使用することができる。この従来のタイプの端末デバイスは、以下では、ユーザ機器（ＵＥ）とも呼ばれ、これには、移動電話、スマートフォン、データモデム、移動コンピュータあるいはその類がある。ＭＴＣ端末デバイスは、典型的には、少量のデータのみを送受信し、このデータは、多かれ少なかれ低頻度、例えば、１週間に一度から１分に一度の程度で発生する。ＭＴＣ端末デバイスは、データをポーリングして、データ送信用の不規則パターンを獲得することができる。ＭＴＣ端末は、典型的には、自律センサデバイス、アラームデバイス、アクチュエータデバイス、リモートコントロールデバイスあるいはその類が想定され、これは、人間のユーザによる通信のために使用されるのではなく、アプリケーションサーバと通信する。ここで、このタイプの通信は、マシーン対マシーン（Ｍ２Ｍ）通信とも呼ばれ、これらのデバイスは、マシーンンデバイス（ＭＤ）とも呼ばれる。一方で、アプリケーションサーバは、ＭＴＣ端末デバイスを構成設定し、それらからデータを受信することができる。このアプリケーションサーバは、移動ネットワーク内あるいは移動ネットワーク外に存在することができる。
【０００３】
上述のことを考慮すると、ＭＴＣ端末デバイスは、典型的には、少量のビットレートとわずかな通信によって特徴付けられる。それゆえ、ＭＴＣ端末デバイスは、低パフォーマンスデータ送信能力で実現することができる。また、ＭＴＣデバイスは、典型的には、エネルギー効率がかなり良いことを必要とする。これは、外部電力供給を利用することができない場合や、実用上あるいは経済的上、それらのバッテリを頻繁に交換したり、あるいは再充電することが実現できない可能性があるからである。
【０００４】
ＭＴＣデバイスにも適用することができる、ＵＥにおけるエネルギーを節約する既知の方法は、不連続受信（ＤＲＸ）を使用することである。ＤＲＸによって、ＵＥは、データ送信が必要とされない場合にエネルギー効率スリープモードに入ることができる。このスリープモードでは、ＵＥの受信機回路は停止される。ＤＲＸは接続モードに適用することができるばかりか、アイドルモードにも適用することができる。このアイドルモードでは、ＵＥは、一定のページングオケージョン（ページング機会）においてページング情報だけを受信する。後者の状況は、ページングＤＲＸあるいはアイドルＤＲＸとも呼ぶことができる。ページング情報は、端末デバイスとのシグナリングによって、基地局との接続を開始することができる。ページング、即ち、ページング情報の送信は、端末デバイスと接続するための移動ネットワークによって使用される処理であり得る。この端末デバイスは、基地局との接続あるいは関係を持っていないものであり、また、その位置は、単一のセルよりも低い精度で把握されるものである。
【０００５】
３ＧＰＰ技術仕様書３６．３０４  Ｖ１０．５．０に従えば、ページングＤＲＸ周期は、パラメータＴ及びパラメータｎＢを介するページングコンフィグレーション（構成設定）情報によって定義される。パラメータＴは、移動ネットワークによってＵＥへ送信される最小の「デフォルトページング周期（defaultPagingCycle）」情報要素（ＩＥ）と、事前に取り得る値に構成設定されたＵＥ専用ＤＲＸ周期長として定義される。パラメータｎＢは、「デフォルトページング周期（defaultPagingCycle）」ＩＥとともに、移動ネットワークによってＵＥへ送信される。ページングＤＲＸ周期は、スリープ期間とアクティブ時間に分けられていて、このアクティブ時間は、アクティブ期間とも呼ばれる。アクティブ時間は、本質的には、ページングコンフィグレーション情報によって定義されるページングオケージョンに等しい。
【発明の概要】
【発明が解決しようとする課題】
【０００６】
ＭＴＣ端末デバイスあるいは他のタイプのＵＥがスリープ期間中に新規のセルに進入する場合、これは、まず、新規のセルにおけるページング情報を受信することを準備する前に、新規のページングコンフィグレーション情報を検索する必要がある。そうでなければ、ＭＴＣ端末デバイスあるいはＵＥは、ＤＲＸアクティブ時間の開始時に送信されるページン情報を受信することができない場合がある、あるいは、一定のページングオケージョン時に送信されるページング情報を完全に受信することができない場合がある。これは、例えば、数分、数時間あるいはそれ以上のスリープ期間を伴う、長いページングＤＲＸ周期が使用される場合に、特に、重要となる可能性がある。長いＤＲＸスリープ期間は、典型的には、新規のセルにおけるより大きな可能性のウェイクアップを意味する。また、見過ごされたページングオケージョンは、次に、ページング情報を受信する可能性まで、別のＤＲＣスリープ期間の順序で長い遅延をもたらす可能性がある。同様の問題は、セル変更が存在しない場合にも発生する可能性がある。これは、ページングコンフィグレーションは、同一セル内でも変更する可能性があるからである。
【０００７】
従って、ページング情報を受信するためのＤＲＸを手寄与する端末デバイスへ効率的にページング情報を送信することが必要とされている。
【課題を解決するための手段】
【０００８】
本発明の実施形態に従えば、移動ネットワークから端末デバイスへのページング情報の送信のための方法が提供される。この方法に従えば、端末デバイスは、不連続受信周期に従ってスリープモードに入る。このスリープモードでは、端末デバイスは、移動ネットワークによって送信されるダウンリンク制御チャネルを監視していない。また、端末デバイスは、スリープモードを離れるための促進ウェイクアップ時間を判定する。この促進ウェイクアップ時間は、不連続受信周期のアクティブ時間の開始に関する促進時間間隔によって進められる。判定した促進ウェイクアップ時間で、端末デバイスはスリープモードを離れ、移動ネットワークからのページングコンフィグレーション情報に関するダウンリンク制御チャネルの監視を開始する。このページングコンフィグレーション情報は、ページング情報の送信のためのページングオケージョンを定義する。ページングコンフィグレーション情報に基づいて、端末デバイスは、移動ネットワークからのページング情報を受信するためにページングオケージョンを監視する。
【０００９】
本発明の更なる実施形態に従えば、移動ネットワークから端末デバイスへのページング情報の送信のための方法が提供される。端末デバイスは、不連続受信周期に従って、端末デバイスが移動ネットワークによって送信されるダウンリンク制御チャネルを監視していないスリープモードに入るように構成されている。この方法に従えば、ネットワークノードは、端末デバイスがスリープモードを離れるための促進ウェイクアップ時間を定義する促進時間間隔を判定する。この促進ウェイクアップ時間は、不連続受信周期のアクティブ時間の開始に関する促進時間間隔によって進められる。また、ネットワークノードは、判定した促進時間間隔に基づいて、ページング情報の送信を制御する。
【００１０】
更なる実施形態に従えば、端末デバイスが提供される。この端末デバイスは、移動ネットワークと端末デバイスとの間のデータ送信のための無線インタフェースを備える。また、端末デバイスは、プロセッサを備える。プロセッサは、端末デバイスが移動ネットワークによって送信されるダウンリンク制御チャネルを監視していないスリープモードに、不連続受信周期に従って、端末デバイスが入るように制御するように構成されている。また、プロセッサは、スリープモードを離れるための促進ウェイクアップ時間を判定するように構成されている。この促進ウェイクアップ時間は、不連続受信周期に従うアクティブ時間の開始に関する促進時間間隔によって進められる。また、プロセッサは、判定した促進ウェイクアップ時間で、端末デバイスが、スリープモードを離れ、移動ネットワークから、ページングコンフィグレーション情報に関するダウンリンク制御チャネルの監視を開始するように制御するように構成されている。このページングコンフィグレーション情報は、ページング情報の送信に対するページングオケージョンを定義する。また、プロセッサは、ページングコンフィグレーション情報に基づいて、端末デバイスが、ページング情報を受信するために、ページングオケージョンを監視するように制御するように構成されている。
【００１１】
本発明の更なる実施形態に従えば、ネットワークノードが提供される。このネットワークノードは、移動ネットワークと端末デバイスとの間でのデータ送信を制御するためのインタフェースを備える。端末デバイスは、端末デバイスが移動ネットワークによって送信されるダウンリンク制御チャネルを監視していないスリープモードに、不連続受信周期に従って、入るように構成されている。また、ネットワークノードは、プロセッサを備える。このプロセッサは、端末デバイスがスリープモードを離れるための促進ウェイクアップ時間を定義する促進時間間隔を判定するように構成されている。この促進ウェイクアップ時間は、不連続受信周期のアクティブ時間の開始に関する促進時間間隔によって進められる。また、プロセッサは、判定した促進時間間隔に基づいて、ページング情報の送信を制御するように構成されている。
【図面の簡単な説明】
【００１２】
【図１】本発明の実施形態に従う概念を適用することができる移動ネットワークを示す図である。
【図２】本発明の実施形態に従うＤＲＸスリープ期間からの促進ウェイクアップの例示の状況を示す図である。
【図３】本発明の実施形態に従うＤＲＸスリープ期間からの促進ウェイクアップの更なる例示の状況を示す図である。
【図４】本発明の実施形態に従う手順で考慮され得るページングオケージョンの取り得る変形を示す図である。
【図５】本発明の実施形態に従う例示の手順を示す図である。
【図６】本発明の実施形態に従う方法を示すフローチャートである。
【図７】本発明の実施形態に従う更なる方法を示すフローチャートである。
【図８】本発明の実施形態に従う端末デバイスを示す図である。
【図９】本発明の実施形態に従う基地局を示す図である。
【図１０】本発明の実施形態に従う制御ノードを示す図である。
【発明を実施するための形態】
【００１３】
以下では、例示の実施形態と添付の図面を参照することによって本発明をより詳細に説明する。図示の実施形態は、移動ネットワークの基地局と端末デバイスとの間でのページング情報の送信に関与する概念に関するものである。
【００１４】
図１は、移動ネットワーク環境、即ち、基地局（ＢＳ）１００と制御ノード３００、更には、端末デバイス２００によって表される移動ネットワークのインフラストラクチャを示している。この端末デバイス２００は、矢印２０で示されるように、データ通信のための、例えば、ＢＳ１００のデータからの受信のための及びＢＳ１００へのデータ送信のための少なくとも一方のための移動ネットワークに接続することができる。また、端末デバイス２００は、アイドルモードでも発生する場合があるページング情報を移動ネットワークから受信することもできる。アイドルモードでは、端末デバイス２００は、ＢＳ１００の関係、例えば、無線リソース制御（ＲＲＣ）接続を有しておらず、また、端末デバイス２００の位置は、複数のセルによって包囲されるエリアの精度でネットワークに既知である。これに対して、接続モードでは、端末デバイス２００は、ＢＳ１００との関係、例えば、ＲＲＣ接続を有していて、移動ネットワークは、どのセルに、端末デバイス２００が位置しているかを把握している。
【００１５】
移動ネットワークは、３ＧＰＰ次世代パケットシステム（ＥＰＳ）技術仕様書に従って実現することができる。この場合、移動ネットワークの無線アクセスネットワーク部分は、ロングタームエボリューション（ＬＴＥ）無線アクセスネットワークとしばしば呼ばれる。このようなＬＴＥ状況では、ＢＳ１００は次世代ユニバーサル地上無線アクセスネットワーク（Ｅ−ＵＴＲＡＮ）ノードＢ（ｅＮＢ）とすることができ、また、制御ノード３００はモビリティ管理エンティティ（ＭＭＥ）とすることができる。移動ネットワークが、オプションとして高速パケットアクセス（ＨＳＰＡ）を実現するユニバーサル移動電気通信システム（ＵＭＴＳ）ネットワークとして実現される場合、ＢＳ１００はノードＢ（ＮＢ）とすることができ、また、制御ノード３００は無線ネットワークコントローラ（ＲＮＣ）とすることができる。このような例では、ページング情報は、ページングチャネル（ＰＣＨ）を使用して、移動ネットワークから端末デバイスへ送信される。
【００１６】
本明細書に記載される概念に従えば、端末デバイス２００は、ページング情報を受信するためにＤＲＸを使用することができる、即ち、ページングコンフィグレーションを介して暗黙的に定義されるＤＲＸの周期に基づいてスリープモードに入ったり、スリープモードを離れたりすることができる。ページングコンフィグレーション情報は、端末デバイス２００へのページング情報の送信のために使用することができるページングコンフィグレーションを定義する。特に、ページングコンフィグレーション情報は、ページング情報の送信用の、ページングオケージョン（paging occasions）と呼ばれる、１つ以上の時間スロットを定義する。ページング情報の受信に関する上述の方法におけるＤＲＸを使用することは、ページングＤＲＸあるいはアイドルモードＤＲＸとも呼ばれる。ＤＲＸ周期のアクティブ時間は、この場合、移動ネットワークから受信される最新のページングコンフィグレーション情報によって定義される、端末デバイス２００がページングオケージョンを期待する時間間隔によって定義される。スリープモードでは、端末デバイス２００は、移動ネットワークによって送信される一定のチャネル群を監視していない、特に、３ＧＰＰ  ＬＴＥにおける物理ダウンリンク制御チャネル（ＰＤＣＣＨ）のようなダウンリンク制御チャネルを監視していない。スリープモードでは、端末デバイスは、ページング情報を送信するためのページングチャネル（ＰＣＨ）を監視することを停止する。スリープモードでは、端末デバイス２００は、エネルギーを節約するために受信機回路を無効にする。
【００１７】
図２に示されるように、ＤＲＸ周期は、スリープ期間とアクティブ時間とを含んでいる。スリープ期間ＳＰ中、端末デバイス２００はスリープモードにある。アクティブ時間中、端末デバイス２００はスリープモードではないので、ダウンリンク制御チャネル及びＰＣＨの少なくとも一方を監視することができる。図２では、アクティブ時間の開始は、ＴＡによって示されている。
【００１８】
本明細書で記載される概念に従えば、端末デバイス２００は、アクティブ時間の開始ＴＡの前にスリープモードを離れるために、アドバンス（促進）ウェイクアップ時間ＡＷを判定する。図２に示されるように、促進時間間隔ΔＡによるアクティブ時間ＴＡの開始に関して、促進ウェイクアップ時間ＡＷが進められている。促進ウェイクアップ時間ＡＷでは、端末デバイス２００は、ページングコンフィグレーション情報に関するダウンリンク制御チャネルを監視するためのスリープモードを離れる。特に、ダウンリンク制御チャネルの監視は、ページングコンフィグレーション情報の変更が存在したかどうかを判定するために、及び／あるいは、新規のページングコンフィグレーション情報を受信するために、使用することができる。端末デバイス２００は、ページング情報を受信するために、ページングコンフィグレーション情報によって定義されるページングオケージョンを監視することができる。促進時間間隔によって、次のページングオケージョンの前に新規のページングコンフィグレーション情報を検索して適用するチェックを行うための時間が、端末デバイス２００に対して十分に存在していることを補償することができる。従って、ページングコンフィグレーション情報における変更のために、端末デバイス２００がページングオケージョンを見過ごすことを回避することができる。
【００１９】
図２に示される状況では、端末デバイス２００は、ＤＲＸ周期のアクティブ時間の開始ＴＡの前に既にスリープモードを離れていて、また、アクティブ時間の開始ＴＡの前にはスリープモードに再度入らない。それゆえ、端末デバイス２００は、アクティブ時間の開始ＴＡにおいてスリープモードを離れる必要がない。しかしながら、促進ウェイクアップ時にスリープモードを離れ、そして、ページングコンフィグレーション情報を受信した後は、図３に示されるように、端末デバイス２００は、スリープモードに再度入って、そして、アクティブ時間の開始ＴＡ時にスリープモードを離れることができる。
【００２０】
上述の概念は、例えば、新規のセルへ移動するあるいは同一セル内を移動する端末デバイス２００のために、ＤＲＸ周期のスリープ期間中に変更する可能性があるページングコンフィグレーション情報を容易に取得することを可能にする。これは、例えば、数分あるいは数時間あるいはそれより長い時間のスリープ期間での拡張ＤＲＸ周期のような、長いＤＲＸ周期を考慮する場合に特に有益である。このような場合、促進時間間隔と全体スリープ期間の関係は典型的には小さいので、ＤＲＸを介するエネルギー節約潜在力への著しい影響は存在しない。
【００２１】
促進時間間隔ΔＡは、端末デバイス２００によって判定される。この目的のために、端末デバイス２００は、移動ネットワークからの様々な入力を受信することができる。いくつかの状況では、促進時間間隔ΔＡは、移動ネットワークのノード、例えば、ＢＳ１００あるいは制御ノード３００によって判定され、そして、端末デバイス２００へ指示することができる。このような状況では、端末デバイス２００は、移動ネットワークから受信する指示に基づいて、促進時間間隔ΔＡを判定することができる。
【００２２】
促進時間間隔ΔＡの適切な値を判定するために、様々な考慮事項を適用することができる。例えば、ページングコンフィグレーション情報を取得するために端末デバイス２００によって必要とされるステップ群は、例えば、いくつかのステップ、及び／あるいはそれらのステップのタイミングを考慮することができる。例えば、新規のセル内の全体ページングコンフィグレーション情報を取得するために、端末デバイス２００は、様々なタイプの情報の取得に関与するいくつかのステップを実行することを必要とする場合がある。このいくつかのステップには、例えば、新規のセルへアクセスすること、上位レイヤの送信情報の受信を準備すること、及び実際のページングコンフィグレーション情報を受信することがある。このようなステップを実行するために必要な時間は、例えば、セルのコンフィグレーションあるいは他の状況に依存して変化する場合がある。また、ページングオケージョンが、例えば、３ＧＰＰ  ＬＴＥで使用されるようなシステムフレーム番号（ＳＦＮ）周期に関連して定義されていることを想定する場合、ページングコンフィグレーション情報とＳＦＮ周期タイミングの違いは、ページングオケージョンの位置で重大な変動性を生じる可能性がある。この変動性の結果は、要求される最小促進時間間隔ΔＡがかなりの変動に晒される可能性がある。しかしながら、詳細な変動は前もって知ることはできない。従って、促進時間間隔ΔＡを判定するための、端末デバイス２００によって訪問された従前のセルで取得される情報を使用することができる、及び／あるいは統計的な方法を適用することができる。また、様々な確率値を考慮することができ、これには、例えば、端末デバイス２００が移動している際の速度の指示あるいは他のモビリティ（移動性）指示に基づくスリープモード中のセル変更の確率、同一のセル内あるいは異なるセル間でのページングコンフィグレーション情報における変更の確率、及びページングオケージョンの損失の確率の少なくとも１つがある。
【００２３】
促進時間間隔Δの適切な値を判定することは、一方が、ページングコンフィグレーションを十分に早く取得することができる確率と、他方が、ＤＲＸ周期のスリープ期間を無駄に短くすることによって、エネルギー節約潜在能力を制限してしまうリスクとの間にトレードオフの関係がある。いくつかの状況では、このトレードオフは、例えば、最悪の場合の状況に基づいて、促進時間間隔ΔＡを大まかに判定し、端末デバイス２００に、例えば、アクティブ時間の開始ＴＡまであるいは最初の取り得るページングオケージョンまでの時間が十分に存在する場合に、ページングコンフィグレーション情報を受信した後にスリープモードに再度入ることを許容することによって、取り扱うこともできる。このような状況の例が図３に示されている。最悪の場合の状況は、ページングコンフィグレーション情報を検索するために必要な時間への一定の未知の寄与の取り得る値の所与の範囲からの最大値を想定する。
【００２４】
従って、本明細書で記載されるような概念では、端末デバイス２００は、ＤＲＸ周期のアクティブ時間の開始前の促進スウェイクアップ時間ＡＷ時にスリープモードを離れ、ページングコンフィグレーション情報に関するダウンリンク制御チャネルの監視を開始する。また、この概念は、例えば、チャネル品質及びセル変更に関連する統計値のような履歴データ、従前に取得しているページングコンフィグレーション情報、ＳＦＮ周期タイミングにおいて従前に取得している情報、スリープ期間の従前の長さについての情報を利用することによって、促進時間間隔ΔＡの適切な値を判定するための処理を含んでいても良い。また、新規のセルでのウェイクアップの確率、あるいはページングオケージョンの損失の確率を、例えば、確率閾値に関して考慮することができる。また、戦略的な考慮事項には、例えば、どの程度、従前に取得したページングコンフィグレーション情報あるいは従前に取得したＳＦＮ周期タイミングに依存しているかが含まれていても良い。
【００２５】
いくつかの状況では、１つ以上のモビリティ指示が、スリープ期間中に端末デバイス２００が新規のセル及び新規のマルチキャストブロードキャスト信号周波数ネットワーク（ＭＢＳＦＮ）エリアの少なくとも一方に移動している確率を推定するために使用することができ、また、この確率は、促進時間間隔ΔＡの適切な値を判定する場合に使用することができる。例えば、新規のセルあるいはＭＢＳＦＮエリアへ移動している確率が低い場合、より短い促進時間間隔ΔＡで十分な場合がある。
【００２６】
また、ページングコンフィグレーション情報が変更されている場合には、従前のページングオケージョン（群）が発生していた際のＤＲＸ周期におけるページングオケージョン（群）の後に、次のアクティブ時間内のページングオケージョン（群）は、正確な１つのＤＲＸ周期長あるいは複数のＤＲＸ周期長で典型的には発生しないことを考慮することができる。ここで、ページングコンフィグレーション情報の変動は、ページングオケージョン（群）の時間位置でジッタが発生する場合がある。このようなジッタを補償するために、そのジッタを推定して、促進時間間隔ΔＡがその推定されたジッタに従って増やされる場合がある。
【００２７】
ページングオケージョンがＳＦＮ周期に関連して定義される場合、ページングオケージョン（群）の位置における更なるジッタが、異なるセル間で非同期のＳＦＮ周期によって発生する場合がある。例えば、このことは、異なるセルが共通のＭＢＳＦＮエリアに属していない場合の事例となる可能性がる。このようなジッタを補償するために、ＳＦＮ周期タイミングのジッタを推定して、そして、そのＳＦＮ周期タイミングの推定されたジッタに従って増やされる場合がある。
【００２８】
以下では、スリープ期間中のセル変更が想定される場合に促進時間間隔ΔＡの適切な値を判定するための例示の手順を更に説明する。これらの手順では、次の寄与を考慮することができる：ページングコンフィグレーション情報を取得するために必要される時間の寄与、異なるセル間のページングコンフィグレーション情報の潜在的な差分の寄与、及び／あるいは、ページングオケージョンのタイミングが同期していないセル間を移動することの寄与である。
【００２９】
以下では、ページングコンフィグレーション情報を取得するために必要な時間の寄与が、上述のＬＴＥ状況のコンテキストにおいて向けられる。しかしながら、同様の寄与を、他のタイプの無線アクセス技術に適用することができることが理解されるべきである。
【００３０】
３ＧＰＰ  ＬＴＥでは、ページングコンフィグレーション情報はシステム情報、具体的には、ＳＩＢ２と呼ばれるシステム情報ブロック（ＳＩＢ）で送信される。このＳＩＢ２は定期的に再発生する時間ウィンドウ内で送信される。この時間ウィンドウの長さと周期性は１ｍｓから４０ｍｓの間で構成設定可能であり、また、この周期性は、８０−５１２０ｍｓに対応する８−５１２無線フレームの範囲をとることができる。
【００３１】
新規のセル内でページングコンフィグレーション情報を取得するために、端末デバイス２００は、まず、マスタ情報ブロック（ＭＩＢ）を検索することを必要とし、これは、ブロードキャスト制御チャネル（ＢＣＣＨ）における各無線フレーム、即ち、１０ｍｓ毎のサブフレーム＃０で繰り返される。次に、端末デバイス２００は、ＳＩＢ１を検索する。これは、ＭＩＢを２回繰り返す毎に、物理ダウンリンク共有チャネル（ＰＤ−ＳＣＨ）の５サブフレーム、即ち、５ｍｓで送信される。次に、端末デバイス２００は、ＳＩＢ２を検索する、これは、ＳＩＢ１におけるスケジューリング情報に従い、かつ、ＰＤＣＣＨ上のシステム情報無線ネットワークテンポラリアイデンティティ（ＳＩ−ＲＮＴＩ）によって示される、実際のページングコンフィグレーション情報を含んでいる。いくつかの場合、例えば、受信品質に依存して、同一のＳＩを繰り返し受信することが、ページングコンフィグレーション情報の取得の成功を補償するために必要とされる場合がある。
【００３２】
以下の時間は、ページングコンフィグレーション情報を取得するために必要とされる時間に寄与する：スリープモードを離れて０ｍｓと１０ｍｓとの間のＭＩＢの次の送信までの第１の遅延、ＭＩＢの送信と５ｍｓあるいは１５ｍｓのＳＩＢ１の次の送信の間の第２の遅延、８０ｍｓから５１２０ｍｓの範囲をとるＳＩＢ２の送信の周期性と、１ｍｓから４０ｍｓの範囲を取るＳＩＢ２を送信するための時間ウィンドウの長さとの総和に対応する、ＳＩＢ１とＳＩＢ２との送信の間の第３の遅延がある。これらの遅延に対する最大値と、ＭＩＢ、ＳＩＢ１及びＳＩＢ２の１回の受信でページングコンフィグレーション情報を取得することが十分であると想定すると、これは、１０ｍｓ（第１の遅延に対する）＋１５ｍｓ（第２の遅延に対する）＋５１６０ｍｓ（第３の遅延に対する）の総時間を与える。逆に、ＭＩＢ、ＳＩＢ１及びＳＩＢ２の２回の受信をページングコンフィグレーション情報を取得するために必要とされると想定する場合、第１の遅延は１０ｍｓ増えて２０ｍｓとなり（ＭＩＢは１０ｍｓ毎に繰り返すことによる）、第２の遅延は２０ｍｓ増えて３５ｍｓとなり（ＭＩＢが２回繰り返す毎に、即ち、２０ｍｓ毎にＳＩＢ１が繰り返すことによる）、第３の遅延は５１２０ｍｓ増えて１０２８０ｍｓとなり（ＳＩＢ２の想定最大送信確率による）、結果として、１０３３５ｍｓの時間となる。
【００３３】
加えて、端末デバイス２００は、例えば、新規のセルを検出するために従前のセルにおけるセル再選択コンフィグレーション情報によって示される、１つ以上のキャリヤ周波数上で測定を実行するための時間を必要とする場合がある。このような測定は、周波数及びシンボル同期を取得すること、フレームタイミング同期を取得すること、及び物理的なセルアイデンティティを判定することが含まれる。いくつかの状況では、これらのステップは、１つの無線フレームの持続時間に対応する時間間隔内、即ち、１０ｍｓの桁の範囲内で実行することができるが、これは、典型的には、必要とされる時間よりも長くなる。端末デバイス２００が最新の５ｓ内にセル上での測定を既に実行している場合、典型的な値は、１００ｍｓの桁の範囲内となる。端末デバイスが最新の５ｓ内にセル上での測定を実行していない場合、信号品質に依存して、例えば、信号対干渉及びノイズ比（ＳＩＮＲ）と、端末デバイス２００が同時に信号を受信するセルの数とに依存して、要求される時間はより長くなる場合がある。その時間を判定するために、端末デバイス２００は、最新の５ｓ内に測定を実行していない新規のセル上での測定を実行することを必要とし、ここでは、０−５ｍｓの時間間隔内の一様確率分布が想定され、これは、５の値が最悪の場合を表す比較的、保守的なモデルである。しかしながら、より洗練された確率分布を、より現実的な評価を達成するために想定することができる。
【００３４】
上述の初期のステップの後、端末デバイス２００は、例えば、基準信号受信電力（ＲＳＲＰ）測定に基づいて、信号品質を測定するために処理を進めることができる。ここで、ＲＳＲＰ測定は、信号測定期間で実行することができる。このような測定期間の存続期間は、実装依存とすることができる。いくつかの場合、端末デバイスは、複数の測定期間に渡る平均化を実行することで、例えば、接続モードで実行される場合に利用可能な２００ｍｓの測定ウィンドウを完全に利用することもできる。典型的な実装におけるシミュレーションに従えば、約６６ｍｓの存続期間を測定期間に対して想定することができる。このような状況では、端末デバイス２００は、同一のキャリヤ上で、上述の初期のステップ群と、いくつかのセルに対する信号品質の測定を実行することができる。しかしながら、複数のキャリヤが網羅されなければならない場合、例えば、最優先度のキャリヤ上で受付可能なセルが検出されなかったために、この手順は、各キャリヤに対して繰り返する必要がある場合がある。
【００３５】
上述のことから明らかなように、セル再選択手順に対して要求される時間を推定することは、様々な考慮事項が介在している。端末デバイス２００が最新の５ｓ内にセル測定を実行している場合、その端末デバイス２００は測定されたセル群の１つに依然として位置していて、そして、同期手順が約１００ｍｓで実行することができることを想定することができる。最新の５ｓ内にこのような最近のセル測定がない場合は、１００ｍｓから５ｓの範囲の間隔内での合理的な値を決定することができる。この目的のために、０ｓ−５ｓの間隔内の均一確率を伴う確率布を想定することができる。信号品質の測定、例えば、ＲＳＲＰ測定に対しては、２００ｍｓ迄の長さの測定期間として、例えば、上述の６６ｍｓを想定することができる。いくつかの状況では、従前の近隣セル情報が複数のキャリヤ上の近隣セル群を示していた場合、いくつかのキャリヤ上での同期と測定を必要とする場合があることを考慮することもできる。
【００３６】
いくつかの場合、端末デバイス２００のハードウェアがウェイクアップ手順中での実装依存安定化を要求する場合、そのことは、推定時間間隔ΔＡを判定する場合と同様に考慮される場合がある。
【００３７】
以下では、異なるセル間のページングコンフィグレーションにおける潜在的な相違の寄与と、異なるセル内の非同期ページングオケージョンの寄与を、上述のＬＴＥ状況のコンテキストに向ける。しかしながら、同様の考慮事項を、他のタイプの無線アクセス技術にも適用できることが理解されるべきである。
【００３８】
３ＧＰＰ  ＬＴＥでは、ＳＦＮは各無線フレームに関連付けられている。無線フレームの長さは１０ｍｓであり、また、その無線フレームは、それぞれが１ｍｓの長さの１０個のサブフレームからなる。ＳＦＮは、１０．２４秒毎、即ち、１０２４フレーム毎にまとめられていて、これは、ＳＦＮ周期と呼ばれる。より詳しくは、ＭＩＢ内のＳＦＮパラメータは８ビットからなる。ＭＩＢの送信時間は、別の２「ビット」を提供することで、１０ビット、即ち、０から１０２３の値によって定義されるＳＦＮを産出する。ＭＩＢは、１０ｍｓ毎に繰り返す４０ｍｓスケジュールで送信される。４０ｍｓ期間内のＭＩＢの４回の送信中は、ＭＩＢ内のＳＦＮパラメータは固定である。ここで、ＭＩＢ内のＳＦＮパラメータの粒度は４０ｍｓであり、これに対して、ＭＩＢの繰り返し数は、追加の２ビットを表している。ＭＩＢの繰り返し数は明示的に示されないが、いくつかのＭＩＢの送信を受信して、ＭＩＢ内のＳＦＮパラメータが２回のＭＩＢ送信の間で変化する場合を検出することで導出することができる。
【００３９】
典型的には、上記のＳＦＮ周期の長さは、長いＤＲＸ周期に対する基準として提供するためには短すぎる。それゆえ、システム全体クロック（システムワイドクロック）をＤＲＸ周期を定義するために使用することができる。システム全体クロックは、様々なＢＳと同期することができる。システム全体クロックを使用することによって、ＤＲＸ周期は複数のＳＦＮ周期に渡るように拡張することができる。選択的には、ＤＲＸ周期は、複数のＳＦＮ周期に基づいて定義することもできる。
【００４０】
システム全体クロックあるいは複数のＳＦＮに渡る代替のタイミング基準から、移動ネットワークは、ページング情報が端末デバイス２００へ送信されるＳＦＮ周期を判定する。次に、このＳＦＮ周期内のページングオケージョンは、ページングコンフィグレーション情報によって定義することができる。このページングコンフィグレーション情報は、例えば、３ＧＰＰ技術仕様書３６．３０４  Ｖ１０．５．０で特定されるような、Ｔ及びｎＢとして参照されるパラメータを通じて定義される。システム全体クロックあるいは代替のタイミング基準は、典型的には、端末デバイス２００へ伝播されない。ここで、端末デバイス２００の観点からは、複数のＳＦＮ周期に渡るＤＲＸ周期は、１つのＳＦＮ周期の粒度、即ち、複数の１０．２４秒で特定される。同一の制約、即ち、１つのＳＦＮ周期の粒度も、移動ネットワークのＤＲＸ周期を定義するために適用することができる。
【００４１】
例えば、図４で示されるように、ＤＲＸ周期がＮ個のＳＦＮ周期の長さを有するように構成設定されている場合、ページング情報は、Ｎ番目のＳＦＮ周期毎に端末デバイス２００へ送信することができ、このＮ番目のＳＦＮ周期は、「ページＳＦＮ周期」と示され、また、ページングコンフィグレーション情報は、ページＳＦＮ周期ページング情報でどの無線フレーム（群）とサブフレームが端末デバイス２００へ送信することができるか、即ち、ページングオケージョンＰＯを定義することになる。
【００４２】
同一セル内に端末デバイス２００が残っている限り、ＳＦＮ周期は一定であり、また、ページングコンフィグレーション情報によって示されるページングコンフィグレーションは静的なままである。このような場合、２つの連続するＤＲＸ周期内の対応するページングオケージョンＰＯ間の時間は、確実にＮ個のＳＦＮ周期となるであろう。しかしながら、新規のセルへ移動する場合、ページングコンフィグレーション情報、例えば、パラメータＴ及びｎＢは変更される場合があり、その結果、ページングオケージョンＰＯのシフトが発生する。従って、セルの変更は、ページＳＦＮ周期内のページングオケージョンのタイミングの変動Ｖ１に関連付けることができる。３ＧＰＰ  ＬＴＥにおけるパラメータＴ及びｎＢが、２５６個の無線フレームから１つのサブフレームを差し引いたもの、即ち、２．５６ｓによってページングオケージョンＰＯをシフトすることができ、また、変動Ｖ１は２．５６ｓまでとすることができる。しかしながら、例えば、パラメータＴにおいてより大きな差が可能である場合、このシフト、ページングオケージョンＰＯとそれらに関連付けられている変動Ｖ１は、例えば、１０以上に大きくすることができる。このような変動を考慮して、端末デバイス２００がページＳＦＮ周期の第１の無線フレームの第１のサブフレームでページング情報を受信することができることを補償するために、促進時間ΔＡを判定することができる。これは、促進時間間隔ΔＡを２．５６ｓまでに増分することによって達成することができる。従前のページングコンフィグレーション情報に従って第１のページングオケージョンが発生する場合に依存して、より小さい増分で十分な場合がある。いくつかの状況では、従前のセルと比べて、新規のセルでページングコンフィグレーション情報が変化しているかどうかの確率を判定することができる。この確率が低い場合、例えば、確率閾値を下回る場合、新規のセルにおけるページングコンフィグレーション情報は従前のセルにおけるページングコンフィグレーション情報と同一であると想定することができる。例えば、このような確率は、ページングコンフィグレーション情報の変動範囲から判定することができるであろう。このような場合、ページングコンフィグレーション情報における取り得る変化によって生じる変動のために、促進時間間隔ΔＡの増分を控える場合がある。
【００４３】
いくつかの状況では、例えば、異なるセル内のＳＦＮ周期の「フェーズ」が一定のシステム全体時間と一致しているという観点から、それらの異なるセルはＳＦＮ周期と非同期である場合がある。これは、例えば、セルが異なるＭＢＳＦＮエリアに属している場合に発生する。従って、端末デバイス２００がスリープモードに入っていた従前のセルのＳＦＮ周期から予期されるものとは異なる、ＳＦＮ周期のフェーズで端末デバイス２００はウェイクアップすることができる。図４の例では、異なるＳＦＮ周期タイミングによって生じる変動はＶ２として示されている。ＳＦＮ周期の長さが１０．２４ｓであると、約５ｓ、即ち、ＳＦＮ周期の約半分の長さの値が、異なるセル内のＳＦＮ周期間の最大フェーズ差に対するものであると想定することができる。例えば、精度要件によって特定されるような、他の値も同様に使用することができよう。このような変動を考慮して、端末デバイス２００がページＳＦＮ周期の第１の無線フレームの第１のサブフレームでページング情報を受信することができることを補償するための促進時間間隔ΔＡを判定することができる。これは、促進時間間隔ΔＡを増分することによって、例えば、約５ｓによって達成することができる。異なるセル内のＳＦＮ周期間の最大フェーズ差をより大きい場合でさえも、端末デバイス２００は、促進時間間隔ΔＡを完全ＳＦＮ周期まで増分することができる。
【００４４】
明らかなように、第１のページングオケージョンが、ＳＦＮ周期と、端末デバイス２００がスリープモードに入った際に従前のセルで有効であったページングコンフィグレーション情報に従って発生することになる前に、端末デバイス２００は、ＳＦＮ周期に２．５６ｓを加えた長さの約半分、即ち、約７．６８ｓによってページングコンフィグレーション情報を検索する必要がある場合がある。ここで、この時間を、促進時間間隔ΔＡへ追加することができる。従前のセルと新規のセルとが同一のＭＢＳＦＮエリアに属している場合は、２．５６ｓまでの増分で十分である。
【００４５】
ページングコンフィグレーション情報における変化のために、ページングオケージョンの変動に対して与えられる上述の値は、パラメータＴ及びｎＢがページングコンフィグレーション情報から導出され、ページＳＦＮ周期内の複数のページングオケージョンの位置を計算するために使用されるという仮定に基づいていることに注意すべきである。他のパラメータ、あるいは２．５６ｓよりも大きいパラメータＴの値が使用される場合、これは、異なる値の変動性を得る場合がある。例えば、長いＤＲＸ周期に対しては、ページＳＦＮ周期における単一のページングオケージョンだけが提供されるだろうし、また、単一のパラメータが、ページＳＦＮ周期内のこの単一のページングオケージョンの位置を特定するために使用されるであろう。このような場合、ページＳＦＮ周期内のページングオケージョンの位置の変動性は、ＳＦＮ周期の全長まで、即ち、１０．２４ｓまでとすることができる。
【００４６】
上述の寄与に関して、悪環境下での促進時間間隔ΔＡは、２３ｓあるいはそれよりも長くする必要がある場合がある。しかしながら、典型的な状況では、より短い促進時間間隔ΔＡで十分である。それゆえ、端末デバイス２００が、例えば、１−５ｓの桁でのより短い促進時間間隔ΔＡを使用する場合にも有益である。このようなより短い促進時間間隔ΔＡを選択するために、端末デバイス２００あるいは移動ネットワークのノード、例えば、ＢＳ１００あるいは制御ノード３００は、例えば、同一のＰＬＭＮ内の最新の訪問先セルで構成設定されるＳＩＢ２及びＳＩウィンドウ長の周期性の値と同一の値を想定することによって、端末２００によって従前に訪問されているセルからの情報を考慮することができる。より長い促進時間間隔ΔＡと、より短い促進時間間隔ΔＡの中から選択する場合、現在のセルで構成設定されているページングオケージョンを監視することできる端末デバイス２００の目標確率を使用することができる。換言すれば、ページングコンフィグレーション情報が十分に早急に取得されない目標確率あるいは許容リスクを定義することができる。この選択において使用するための目標確率あるいは許容リスクは、例えば、確率閾値に関して、あるいは異なる場合に使用するための促進時間間隔ΔＡに関して、デバイス端末２００において、例えば、端末デバイス２００のユーザあるいはオペレータによって、あるいは、例えば、ＳＩ、専用無線リソース制御（ＲＲＣ）シグナリング、無線（ＯＴＡ）ＵＳＩＭコンフィグレーション、あるいはオープンモバイルアライアンスデバイス管理（ＯＭＡ  ＤＭ）を介する移動ネットワークによって、あるいは端末デバイス２００の製造者によって、端末デバイス２００によって実行されるソフトウェアのプロバイダによって、構成設定することができる。
【００４７】
いくつかの状況では、例えば、図３に示されるように、端末デバイス２００は、移動ネットワークからページングコンフィグレーション情報を検索した後に再度、スリープモードに入ることができ、また、ＤＲＸ周期のアクティブ時間の開始時に、即ち、最近に受信したページングコンフィグレーション情報によって判定される次の潜在的なページングオケージョン時にウェイクアップすることができる。この方法で、長い促進時間間隔ΔＡによってスリープ期間を過度に短縮してしまうことを回避することができ、また、図２に示されるような、端末デバイス２００がスリープモードに戻らない状況よりも、端末デバイス２００は、より長い促進時間間隔ΔＡを使用することができる。
【００４８】
従って、促進時間間隔ΔＡ、あるいは最悪の状況に対処するために必要とされる少なくともの促進時間間隔ΔＡは、スリープ期間が２３ｓよりも十分に長い限り、スリープ期間の重要な部分を構築することができる。このことは、ページングコンフィグレーション情報を取得するための早期のウェイクアップの恩恵を減らし、そして、ＤＲＸを通じて、可能なエネルギー節約をも減らす可能性がある。
【００４９】
上述の観点では、端末デバイス２００は、例えば、最悪の状況に対処するために必要とされる、相対的に長い促進時間間隔ΔＡを使用して、ページングコンフィグレーション情報を取得した後に、スリープモードに戻ることができる。そして、端末デバイス２００は、例えば、図３に示されるように、ＤＲＸ周期のアクティブ時間の開始ＴＡで、スリープモードを再度離れることができる。
【００５０】
いくつかの状況では、スリープモードに入る前に、従前に訪問したセルでみられる状況と同様の状況を想定することに基づいて、促進時間間隔ΔＡを判定することができる。例えば、ページングコンフィグレーション情報を取得するために必要とされる、同期しているＳＦＮ周期、ＳＩＢ２とＳＩウィンドウ長を送信するための周期性の同一値、及び同一の要求される受信繰り返し数の少なくとも１つを想定することができる。これらの想定に基づいて、促進時間間隔ΔＡを、最悪の状況に対処するために必要とされる促進時間間隔ΔＡに比べて短くすることができる。また、この状況では、端末デバイス２００は、次の取り得るページングオケージョンあるいはＤＲＸ周期のアクティブ時間の開始ＴＡの時までにページングコンフィグレーション情報を取得した後、スリープモードへ戻ることができる。
【００５１】
いくつかの場合では、端末デバイス２００は、ＤＲＸ周期の従前のアクティブ時間中と同一のセルに依然として位置していて、そして、それに従って、促進時間間隔ΔＡを判定することができると想定することができる。
【００５２】
また、促進時間間隔ΔＡを判定するモビリティ指示（指標）も利用することができる。このようなモビリティ指示は、例えば、端末デバイス２００が移動している際の速度を表すことができる、あるいは、異なるモビリティカテゴリ、例えば、低モビリティと高モビリティに従って端末デバイス２００を分類することができる。加えて、過去のモビリティ指示に基づいて生成される履歴モビリティデータを利用することができる。
【００５３】
端末デバイス２００が移動している際の速度の指示は、衛星位置決めデバイス、例えば、グローバル位置決めシステム（ＧＰＳ）受信機、加速度計、ドップラーシフト測定あるいはタイミングアドバンス変動に基づく推定から、例えば、取得することができる。速度の指示に基づいて、１つ以上の確率値、例えば、スリープ期間中に新規のセルに端末デバイス２００が入る確率、端末デバイス２００が過去の５ｓ中に測定を実行していない新規のセルに端末デバイス２００が入る確率、別のＳＦＮ周期タイミング、例えば、ＭＢＳＦＮエリアを離れる際にセルに端末デバイス２００が入る確率、上述の確率群の１つ以上を考慮して判定することができる、ページングコンフィグレーション情報を受信するのに遅すぎるウェイクアップの確率、及び上述の確率群の１つ以上を考慮して判定することができる、ページングオケージョンの損失の確率の少なくとも１つの確率と、オプションとしての、新規のセル内のページングコンフィグレーション情報が従前に受信しているページングコンフィグレーション情報とは異なる確率とを示す値を判定することができる。このような確率を判定するために、セルあるいはＭＢＳＦＮエリアのサイズを考慮することができる。セルあるいはＭＢＳＦＮエリアのサイズを概算するための情報は、例えば、端末デバイス２００内のあるいは移動ネットワーク内のデータベースに構成設定することができる、あるいは、統計値を適用することによって導出することができる、及び／あるいは、他の情報、例えば、ＳＩパラメータから導出することができる。判定された確率あるいは確率群は、例えば、目標確率群あるいは確率閾値との比較によって、促進時間間隔ΔＡを判定するために使用することができる。
【００５４】
加えて、あるいは代替として、促進時間間隔ΔＡを判定するための統計値を利用することができる。この統計値には、例えば、新規のセルあるいはＭＢＳＦＮエリア内で端末デバイス２００がどれくらいの頻度でスリープモードを離れるか、過去の５ｓ中に端末デバイス２００が測定を実行しなかった新規のセル内で端末デバイス２００がどれくらいの頻度でスリープモードを離れるか、別のＳＦＮ周期タイミングで端末デバイス２００がどれくらいの頻度でセルへ移動するか、新規のセルあるいはＭＢＳＦＮセル内でページングコンフィグレーション情報がどれくらいの頻度で異なるか、及び／あるいは過去に端末デバイス２００がどれくらいの頻度でページングオケージョンを損失しているかがある。このような統計値に基づいて、１つ以上の確率値を計算することができ、この確率値は、例えば、スリープ期間中に端末デバイス２００が新規のセルへ入る確率、過去の５ｓ中に端末デバイス２００が測定を実行しなかった新規のセルへ端末デバイス２００が入る確率、あるいは、別のＳＦＮ周期タイミングで端末デバイス２００がセルへ入る確率を表している。他のデータ、例えば、端末デバイス２００が一定のモビリティカテゴリ、例えば、高モビリティ及び低モビリティに属していることの指示、あるいは端末デバイス２００の移動特性あるいは固定特性の他の指示を同様に利用することができる。
【００５５】
従って、端末デバイス２００は、スリープモードを、早期に、即ち、ＤＲＸ周期のアクティブ時間の開始前の一定時間間隔に離れて、セル変更のために変化しているページングコンフィグレーション情報を取得することを決定することができる。この時間間隔、即ち、促進時間間隔ΔＡを判定するために、端末デバイス２００によって、及び／あるいは移動ネットワークのノード、例えば、ＢＳ１００あるいは制御ノード３００によって、様々な入力を利用することができる。このような入力の例には、履歴データ、例えば、過去に測定されたチャネル品質、ページングコンフィグレーション情報を取得するために過去に要求された受信数、統計値、及び／あるいはセルあるいはＭＢＳＦＮエリアのサイズの推定値がある。この統計値には、例えば、端末デバイス２００の早期のセル変更についての統計値、あるいは、ＭＢＳＦＮエリアの早期の変更についての統計値、あるいは、新規のセル内でページングコンフィグレーション情報がどれくらいの頻度で異なるかについての統計値がある。更なる例には、過去に取得されたＳＩパラメータがあり、これには、例えば、ＳＩＢスケジューリング情報、例えば、キャリヤ周波数上の近隣セル情報、及び、例えば、マルチメディアブロードキャスト／マルチキャストサービス（ＭＢＭＳ）制御チャネル（ＭＣＣＨ）を介して送信されるＭＢＳＦＮ情報がある。このような入力の更なる例には、最新の受信ページングコンフィグレーション情報によって定義されるＤＲＸ周期のスリープ期間の長さ、あるいは過去のスリープ期間の長さがある。また更なる例には、確率閾値があり、これには、例えば、スリープ期間中に端末デバイス２００が新規のセルへ入る確率に対する確率閾値、過去の５ｓ中に端末デバイス２００が測定を実行しなかった新規のセルへ端末デバイス２００が入る確率に対する確率閾値、別のＳＦＮ周期タイミングで端末デバイス２００がセルへ入る確率に対する確率閾値、ページングコンフィグレーション情報を検索するには遅すぎるウェイクアップの確率に対する確率閾値、及び／あるいは、端末デバイス２００がページングオケージョンを損失する確率に対する確率閾値がある。このような確率閾値は、移動ネットワークによって構成設定され、そして、例えば、ＳＩで端末デバイス２００へ示される。促進時間間隔ΔＡを判定するために、戦略的選択を、端末デバイス２００によって、及び／あるいは移動ネットワークのノードによって利用することができ、この戦略的選択には、新規のセル内のＳＩＢスケジューリングを過去に訪問しているセル内のＳＩＢスケジューリングと同一であると想定するかどうか、あるいは、ＭＢＳＦＮエリアが過去に訪問しているセルと同一であると想定するかどうかがある。また、例えば、セル変更あるいはＳＩパラメータの変更のために端末デバイス２００がページングオケージョンを損失した過去の状況を考慮することができる。
【００５６】
上述のように、ページングコンフィグレーション情報を検索するために早期にスリープモードを離れることは、端末デバイス２００が新規にセルに入っている場合だけではなく、ページングコンフィグレーション情報が現在のセルで変更している場合にも有用である場合がある。以下の例では、スリープ期間中に同一セルのページングコンフィグレーション情報の変更を想定する場合での促進時間間隔ΔＡの適切な値を判定するための手順が更に説明される。以下では、このようなプロセスは、上述のＬＴＥの状況の内容で示される。しかしながら、他のタイプの無線アクセス技術に関しても同様の考慮を適用できることも理解されるべきである。
【００５７】
３ＧＰＰ  ＬＴＥでは、ページングコンフィグレーション情報はＳＩで示され、ＳＩの変更は、ＳＩ修正期間の境界でのみ発生し得る。ＳＩ修正期間はＳＩで示され、また、６４から４０９６個の無線フレーム、即ち、６４０−４０９６０ｍｓの範囲を取り得る。また、所与の時間期間内でのＳＩの変更数の上限が指定されている。特に、ＳＩは、３時間の期間の間は、３１回より多くは変更することができない。ＳＩの計画済変更は、完全に先行するＳＩ修正期間中に定期的に示すことができる。ＳＩの変更が実行されるＳＩ修正期間内では、変更が発生していることを示すための値タグがインクリメント（増分）される。この値タグは、ＭＩＢ、ＳＩＢ１、ＳＩＢ１０、ＳＩＢ１１及びＳＩＢ１２以外のすべてのＳＩＢに対して共通であり、これは、ＳＩＢ１に含まれる。
【００５８】
上述のことに関して、端末デバイス２００は、ページングコンフィグレーション情報に関するダウンリンク制御チャネルを監視するために、特に、ページングコンフィグレーション情報の取り得る変動をチェックするために、スリープ期間から早期にウェイクアップすることができる。セル変更が関与する上述の状況に比べて、端末デバイス２００は、ＳＩＢ２内で変更が存在するかどうかをチェックすることだけが必要である。このようなチェックに対する手順は、ＤＲＸ周期のスリープ期間の長さに依存して選択することができる。
【００５９】
スリープ期間の長さがＳＩ修正期間よりも長いが３時間よりも短い場合は、端末デバイス２００は、ＳＩＢ１内の値タグが変更しているかどうかをまずチェックする。値タグが変更されていない場合、端末デバイス２００は、ページングコンフィグレーション情報の変更はなかったと結論付けることができる。一方、ＳＩＢ１内の値タグが変更されている場合、端末デバイス２００は、ＳＩＢ２をチェックして、ページングコンフィグレーション情報が変更されているかどうかを検出するための処理に進むことができる。
【００６０】
スリープ期間の長さが３時間よりも長い場合、ＳＩＢ１内の値タグは信頼性がより低くなる。この場合、端末デバイス２００は、ＳＩＢ２を検索して、ページングコンフィグレーション情報が変更されているかどうかを検索することができる。
【００６１】
例えば、深刻なソフトウェア障害あるいはハードウェア障害によって生じる、セルのＢＳ１００の休止時間を無視する場合、ＳＦＮ周期タイミングは、セル内で一定であると想定することができる。
【００６２】
上述のように、ＳＩＢ１の時間スケジューリングは、２つの無線フレーム毎のサブフレーム＃５は固定である。こうして、ＳＩＢ１は２０ｍｓ毎に送信され、これは、ＳＩＢ２の送信よりもかなり頻繁である。しかしながら、端末デバイス２００はＳＩＢ１を検索して、値タグが変更していることを検出している場合、端末デバイス２００は依然としてＳＩＢ２を検索しなければならない。後者の可能性を考慮するために、端末デバイス２００は、アクティブ時間の開始ＴＡの前に、ＳＩＢ２を検索するために十分に長い促進時間間隔ΔＡを判定する。従って、スリープ期間がＳＩ修正期間よりも長い場合、端末デバイス２００は、アクティブ時間の開始ＴＡ前にＳＩＢ２を検索するために十分に長い促進時間間隔ΔＡを判定する。
【００６３】
ＳＩＢ２を検索するために、端末デバイス２００は、最新のＳＩウィンドウの開始のための時間内でウェイクアップすることができ、ここでは、ＳＩＢ２を送信することができ、その全体が次回のアクティブ時間となる。この目的のために、端末デバイス２００は、アクティブ時間の開始ＴＡの前に同期時間マージンを必要とすることができ、これは、端末デバイス２００の内部クロックがスリープモード中にどの程度正確なのかで採用される。この精度は、内部クロックがＢＳ１００との同期から外れる可能性があることを判定する。同期時間マージンは、ＢＳ１００に関連する端末デバイス２００の移動のために、伝搬遅延を変更することによって作成される取り得る時間差を補償するために使用することもできる。内部クロックがかなり外れている場合、端末デバイス２００は、セル変更が関与する上述の状況のように、ＳＩＢ２を検索するための処理の前にシンボル同期を取得する必要がある場合がある。そうでなければ、同時時間マージンはより小さくすることができる。
【００６４】
上述のことに関して、促進時間間隔ΔＡを判定するための様々な戦略を、端末デバイス２００によって、あるいは、移動ネットワークのノード、例えば、ＢＳ１００あるいは制御ノード３００によって採用することができる。第１の戦略に従えば、ＳＩＢ２のスケジューリング、即ち、ＳＩＢを含むＳＩウィンドウの長さ及び周期性は変化しないと想定する。第２の戦略に従えば、ＳＩＢ２のスケジューリングが変更している可能性を考慮する。いくつかの実装では、端末デバイス２００あるいは移動ネットワークのノードは、第１の戦略及び第２の戦略のどちらかを選択することもできる。
【００６５】
第１の戦略では、促進時間間隔ΔＡは、第２の戦略におけるものよりも短いものを選択することができる。特に、第１の戦略では、１つのＳＩウィンドウの長さに上述の時間マージンを加えたものに対応する促進時間間隔ΔＡの値は十分であり、ＳＩＢ２の１回の受信だけが必要とされることが想定される場合に選択される。ＳＩＢの２回の受信が必要とされる場合、ＳＩウィンドウ期間に１つのＳＩウィンドウの長さと上述の同期時間マージンを加えたものに対応する促進時間期間の値は、十分であり、そして、選択される。
【００６６】
第２の戦略では、端末デバイス２００あるいはネットワークノードは、最大ＳＩウィンドウ期間、最大ＳＩウィンドウ長、ＳＩウィンドウ期間内のＳＩウィンドウの未知の位置を想定して、この最悪の場合の状況に従う促進時間間隔ΔＡを判定することができる。しかしながら、セル変更が関与する上述の状況で説明される確率のトレードオフに基づいて、最悪の場合の状況に対処するために必要される時間よりも短い促進時間間隔ΔＡが選択される場合がある。促進ウェイクアップ時間でスリープモードを離れた後、端末デバイス２００は、まず、ＳＩＢ１からＳＩＢ２のスケジューリング情報を検索することができ、これによって、ＳＩＢ２を受信する場合における不確実さを減らすことができる。この目的のために、追加の時間が必要とされ、そうすることで、端末デバイス２００は、セル変更が関与する上述の状況と同様に、まず、ＳＩＢ１を検索することができる。しかしながら、端末デバイス２００は、ＳＩＢ１を検索する時点と、ＳＩＢ２を含むＳＩウィンドウの開始時点との間でスリープモードに戻ることによって、効果的な長さのスリープ期間における悪影響を補償することができる。また、端末デバイス２００がスリープモード内で３時間よりも短い時間を消費している場合、ＳＩＢ１内の値タグは依然として有効であり、これは、端末デバイス２００は、ＳＩＢ２を検索することなく、ページングコンフィグレーション情報が変更していないことを、ＳＩＢ１だけから判定することができる。
【００６７】
スリープ期間の長さがＳＩ修正期間よりも短い場合、端末デバイス２００あるいはネットワークノードは、スリープモードからの早期のウェイクアップを利用するのではなく、むしろ、ＤＲＸ周期のアクティブ時間の開始ＴＡ時のみスリープモードを離れることを決定することができる。
【００６８】
従って、端末デバイス２００がスリープモードで全ＳＩ修正期間よりも長く時間を消費している場合、同一セル内のページングコンフィグレーション情報の潜在的な変化をチェックするために、アクティブ時間の開始ＴＡの前にウェイクアップすることができる。促進時間間隔ΔＡの適切な値を判定するために、端末デバイス２００あるいはネットワークノード、例えば、ＢＳ１００あるいは制御ノード３００は、様々な入力を利用することができる。このような入力の例には履歴データがあり、これには、例えば、過去に測定されたチャネル品質、あるいはページングコンフィグレーション情報を取得するために過去に要求された受信の回数がある。このような入力の更なる例には、過去に取得されたＳＩパラメータ、例えば、ＳＩＢスケジューリング情報がある。このような入力の更なる例には、最新の受信ページングコンフィグレーション情報あるいは過去のスリープ期間の長さによって定義されるＤＲＸ周期内のスリープ期間の長さがある。このような入力の更なる例には、確率閾値があり、例えば、有効なページングコンフィグレーション情報がこれ以上ないことによってページングオケージョンを損失する確率に対する確率閾値がある。促進時間間隔ΔＡを判定するために、スリープモードに入る前のＳＩＢスケジューリングと同一であることを想定するかどうか、あるいは、ＳＩＢ１から値タグを検索するかどうかのような戦略的選択を利用することもできる。
【００６９】
端末デバイス２００あるいは移動ネットワークのノードは、潜在的なセルの変更を考慮する戦略と、端末デバイス２００が同一のセルに残っていると想定する戦略とのどちらかを使用することを選択することができる。どの戦略が選択されるべきかを判定するために、端末デバイス２００あるいは移動ネットワークのノードは、モビリティ（移動性）、及び、オプションとしての、上述のようにして取得することができるセルサイズについての指示あるいは他のデータを利用することができる。このような指示あるいはデータは、スリープ期間の長さと、セル変更の確率に対する閾値との少なくとも一方と組み合わせて使用することもできる。
【００７０】
上述の手順では、端末デバイス２００は、例えば、端末デバイス２００が、例えば、取得されるスケジューリング情報に基づいて、一定の時間間隔に対する関連情報が送信されることはないことを判定する場合に、ページングコンフィグレーション情報を受信するための異なるステップとの間でスリープモードに再度入ることができる。このような間隔は、例えば、ＭＩＢの送信とＳＩＢ１の送信との間の時間、あるいは、ＳＩＢ１の送信とＳＩＢ２の送信との間の時間を含んでいる。
【００７１】
上述の手順では、端末デバイス２００は、例えば、上述の判定及び決定を実行することによって、促進時間間隔ΔＡを判定することができる。選択的には、移動ネットワークのノード、例えば、ＢＳ１００あるいは制御ノード３００は、促進時間間隔ΔＡを判定する際に端末デバイス２００によって使用される入力を提供することによって、促進時間間隔ΔＡの判定を支援することができる。また、移動ネットワークのノード、例えば、ｂＳ１００あるいは制御ノード３００は、例えば、上述の判定及び決定を実行することによって促進時間間隔ΔＡを判定して、それを端末デバイス２００へ指示することができる。
【００７２】
また、いくつかの状況では、移動ネットワークは、端末デバイス２００によって適用される促進ウェイクアップ時間ＡＷあるいは促進時間間隔ΔＡを気付いている場合があり、そして、移動ネットワークは、ページング情報の効率的な送信のためにこの情報を利用することができる。
【００７３】
ページング情報の送信を制御している移動ネットワークのノード、例えば、上述のＬＴＥ状況でのＢＳ１００あるいは制御ノード３００、即ち、ｅＮＢあるいはＭＭＥ、あるいは上述のＵＭＴＳ状況でのＢＳ１００あるいは制御ノード３００、即ち、ＮＢあるいはＲＮＣは、促進時間間隔ΔＡあるいは促進ウェイクアップ時間ＡＷを気付いている場合がある。このノードは、ＤＲＸ周期のアクティブ時間前に端末デバイス２００がスリープモードを離れている場合に既にページング情報を端末デバイス２００へ送信することを決定することができる。ページングコンフィグレーション情報を受信した後に、あるいはページングコンフィグレーション情報の変更をチェックした後に、あるいは、ページングコンフィグレーション情報を検索するための異なるステップ群の間に、端末デバイス２００が、スリープモードへ戻る状況では、ノードは、更に、端末デバイス２００が、まだ、スリープもモードへ再度入っていない間に、ページング情報が送信されることを補償することができる。
【００７４】
移動ネットワークのノードは、例えば、ページングコンフィグレーションが変更されているかどうかに依存して、選択的にページング情報の早期送信を適用することを選択することができる。例えば、端末デバイス２００のページングオケージョンが端末デバイス２００のスリープ期間中に変更されることでページングコンフィグレーションが変更されている場合、ノードは、ページング情報の早期送信を使用しないで、逆に、ＤＲＸ周期の次のアクティブ時間でページング情報を送信することを選択することができる。この方法では、端末デバイス２００には、変更されたページングコンフィグレーションに対応する新規のページングコンフィグレーション情報を取得するために十分な時間が与えられる。ページングコンフィグレーションが端末デバイス２００のスリープ期間中に変更されていない場合には、端末デバイス２００が促進ウェイクアップ時間ＡＷでスリープモードを離れている場合に、ノードは、ページング情報を早期に送信することができる。
【００７５】
ノードは、有効であったページングコンフィグレーション情報によって与えられる時間の時に、端末デバイス２００がページングオケージョンを有していた場合の最新の時間の時に、あるいは端末デバイス２００がページングコンフィグレーション情報を受信する機会を有している場合の最新の時間の時に、例えば、ＳＩＢ２の最新の送信時に、新規のページングコンフィグレーション情報が異なる時間を示しているとしても、端末デバイス２００へページング情報を送信することを選択することができる。これは、端末デバイス２００が促進時間ウェイクアップ時間ＡＷでスリープモードを離れる場合に早期に達成することができる。選択的には、古いページングコンフィグレーションは、端末デバイスのＤＲＸの周期のアクティブ時間中に初期のページング情報を送信するために、あるいはページングコンフィグレーションの変更の後の第１のページングオケージョンでページング情報を送信するために、保有される。後者の場合、端末デバイス２００は、新規のページングコンフィグレーション情報を検索するために促進ウェイクアップ時間ＡＷでスリープモードを早期に離れる必要はないが、ページング情報を受信するためにダウンリンク制御チャネル及びＰＣＨの少なくとも一方を監視している間、あるいはその後に、新規のページングコンフィグレーション情報を検索することができる。
【００７６】
端末デバイス２００のスリープ期間中にページングコンフィグレーションが変更された場合、ノードは、新規のページングと従前の有効なページングの両方それぞれに対応する時点での促進ウェイクアップＡＷで端末デバイス２００がスリープモードを離れる場合に、早期にページング情報を送信することを決定できる。ノードは、これら２つの時点の後の時点でページング情報を送信することを省略することを決定することができる。これは、その時点で、最初に送信されたページング情報への端末デバイス２００からの応答が既に移動ネットワークによって既に受信されていた場合である。
【００７７】
移動ネットワークのノードに、端末デバイス２００によって判定される促進時間間隔を気付かせるために、端末デバイス２００は対応する指示をノードへ送信することができる。この目的のために、ＲＲＣシグナリング、例えば、ＲＲＣ接続確立時に、追跡エリア更新リクエストあるいはハンドオーバシグナリングのような非アクセスストリーム（ＮＡＳ）メッセージを搬送するＲＲＣシグナリングを、あるいは専用ＲＲＣシグナリング手順を使用するＲＲＣシグナリングを、使用することになろう。移動ネットワークのノード自身が促進時間間隔ΔＡを判定する実施形態では、移動ネットワークのノードは、促進時間間隔ΔＡを気付かせるために、端末デバイス２００からその促進時間間隔ΔＡを受信する必要はない。
【００７８】
上述の手順では、端末デバイス２００によるページング情報の受信は、通信イベント、例えば、端末デバイス２００がデータを移動ネットワークへ送信するイベント、及び端末デバイス２００が移動ネットワークからデータを受信するイベントの少なくとも一方をトリガーすることができる。このような通信のイベントの後、即ち、すべての保留しているデータが送信されるあるいは受信される場合、端末デバイス２００は、ＤＲＸ周期のアクティブ時間がまだ終了していない場合でさえ、スリープモードに再度入ることができる。ページング情報を早期に送信することによって、即ち、ＤＲＸ周期のアクティブ時間の開始ＴＡの前に、通信イベントがトリガーされ、また、通信イベントがそのアクティブ時間の開始ＴＡの前に終了している場合、端末デバイス２００は、次のアクティブ時間の開始ＴＡでスリープモードを離れることなく、このアクティブ時間を完全にスキップしてスリープモードへ戻ることを決定することもできる。
【００７９】
いくつかの状況では、上述の手順で使用される１つ以上のパラメータ、例えば、ＳＩパラメータ、より詳しくは、ページングコンフィグレーション情報のパラメータ、あるいはＳＦＮ周期タイミングのパラメータ表示を有効性スコープ（範囲）に関連付けることができる。この有効性スコープは、例えば、パラメータが有効である場合のエリアに関して、及びパラメータが有効である場合の時間期間に関しての少なくとも一方に関して定義することができる。このエリアは、例えば、地理的エリアとして、あるいは移動ネットワークのトポロジーの一部として、例えば、追跡エリアあるいはＭＢＳＦＮエリアとして、定義することができるであろう。この時間期間は、例えば、１つ以上のＤＲＸ周期、１つ以上のＳＩ修正期間、あるいは１つ以上のＳＦＮ周期によって定義されるであろう。移動ネットワーク、例えば、ＢＳ１００あるいは制御ノード３００は、有効性スコープを、例えば、対応するパラメータとともに端末デバイス２００へ指示することができる。
【００８０】
例えば、有効性スコープは、例えば、ページングコンフィグレーション情報あるいはＳＩＢ２のスケジューリングの１つ以上のパラメータが、現在のセルよりも大きなエリアで、例えば、現在の追跡エリアあるいはＭＢＳＦＮエリアで、または、ＢＳ１００によって制御されるすべてのセルで、あるいは近隣セルリストに従う、１つ、複数あるいはすべての近隣セルで、有効であることを指示することができるであろう。促進時間間隔ΔＡを判定する場合に、ページングコンフィグレーション情報あるいはＳＩＢ２のスケジューリングは、指示される有効性スコープに従って使用することができる。この有効性スコープから、パラメータが有効である確率も判定して、確率閾値と比較することができる。この方法では、例えば、新規のセルでウェイクアップする場合に、促進時間間隔ΔＡの所与のパラメータを使用するかどうかを決定することができる。
【００８１】
いくつかの場合、有効性スコープは、ファジーな方法で、例えば、一定エリア、例えば、近隣セルで、あるいは時間期間、例えば、次のＤＲＸ周期（群）で、パラメータが有効である確率、ＳＩ修正期間（群）、あるいはＳＦＮ周期（群）を示すこともできるであろう。また、異なるエリア群あるいは時間期間群の間での類似度を示すこともできるであろう。
【００８２】
いくつかの状況では、端末デバイス２００がページングオケージョンを損失することが発生し得る。ページングオケージョンを損失する理由は、例えば、端末デバイス２００が促進ウェイクアップ時間ＡＷでウェイクアップしないことを決定していたこと、促進時間間隔ΔＡが短すぎたこと、あるいはいくつかの理由で、貧弱なチャネル品質のために端末デバイス２００が、ページングオケージョン中に、関連するシグナリング情報、例えば、ＰＤＣＣＨシグナリングを受信することに失敗していたことがある。端末デバイス２００がページングオケージョンを損失したこと判定する場合、端末デバイス２００は、このことを移動ネットワーク、例えば、ＢＳ１００あるいは制御ノード３００へ指示することができる。実装に依存して、このことは、例えば、ＲＲＣシグナリングを介して、あるいはＮＡＳシグナリングを介して達成することができる。
【００８３】
端末デバイス２００からこのような指示を受信することに応じて、移動ネットワーク、例えば、ＢＳ１００あるいは制御ノード３００は、ページング情報の再送信を行うことで、及び／あるいは端末デバイス２００とのいくつかの利用可能な接続を使用することで、ページング情報が、損失したページングオケージョン中に送信されたかどうかを指示することができる。このような端末デバイス２００との接続は、例えば、損失したページングオケージョンの指示とともに確立されている場合がある。端末デバイス２００へ送信される任意の保留中のデータは、失敗したページングのために破棄されていない限り、例えば、損失したページングオケージョンの指示ともに確立される端末デバイス２００との接続を使用して、あるいは、端末デバイス２００と新規に確立される接続を使用して、端末デバイス２００へ配信される。
【００８４】
図５は、上述の概念に基づいている例示の手順を示すタイミング図である。この手順は、ネットワークノード、例えば、ＢＳ１００あるいは制御ノード３００、及び端末ノード（ＴＤ）２００が関与する。これらの手順では、端末デバイ２００は、アイドルモードＤＲＸあるいはページングＤＲＸを適用して、移動ネットワークからページング情報を受信すると想定する。
【００８５】
ステップ５０１で、端末デバイス２００は、ＤＲＸ周期を判定する。ＤＲＸ周期は、端末デバイス２００によって受信される最新のページングコンフィグレーション情報によって定義される。特に、ＤＲＸ周期のアクティブ時間は、ページングコンフィグレーション情報のアクティブ時間は、ページングコンフィグレーション情報によって定義される最初のページングオケージョンの始まりで開始し、ページングコンフィグレーション情報によって定義される最後のページングオケージョンで終了する。いくつかの状況では、ページングコンフィグレーションによって定義されるアクティブ時間毎に、単一のページングオケージョンだけが存在する場合がある。最新のページングコンフィグレーション情報は、ネットワークノード１００／３００から、あるいは、いくつかの他のネットワークノード、例えば、セル変更の前に端末デバイスへサービスを提供していたネットワークノードから受信することができる。
【００８６】
ステップ５０２で、端末デバイス２００は、ＤＲＸ周期のスリープモードに入る。スリープモードでは、端末デバイス２００は、移動ネットワークによって送信されたダウリンク制御チャネルを監視しておらず、また、移動ネットワークによって送信されるＰＣＨを監視していない。それゆえ、端末デバイス２００は、これらのチャネルを監視するために使用される受信機回路を無効にすることによって、エネルギーを節約することができる。
【００８７】
ステップ５０３で、端末デバイス２００は、促進時間間隔ΔＡを判定する。この目的のために、上述の考慮事項及び手順を端末デバイス２００によって適用することができる。促進時間間隔Δに基づいて、端末デバイス２００は、現在のＤＲＸ周期で適用すべき促進ウェイクアップ時間ＡＷを判定することができる。メッセージ５０４によって指示されるように、端末デバイス２００は、促進時間間隔ΔＡをネットワークノード１００／３００へ指示することができる。
【００８８】
ステップ５０５で、ネットワークノード１００／３００は、受信した促進時間間隔ΔＡの指示を使用して、端末デバイス２００へのページング情報の送信をスケジュールすることができる。特に、ネットワークノード１００／３００は、ＤＲＸ周期のアクティブ時間の前に、早期にページング情報を送信する上述のオプションの使用を行うべきかどうかを決定することができる。図５では、このようなページング情報の早期の送信は示されていない、即ち、このオプションは使用されないことを想定している。
【００８９】
ステップ５０６で、端末デバイス２００は促進時間ウェイクアップを実行し、促進ウェイクアップ時間ＡＷでスリープモードを離れる。従って、端末デバイス２００は、ページングコンフィグレーション情報に関するダウンリンク制御チャネルを監視することを開始することができる。ステップ５０６で、端末デバイス２００は、メッセージ５０７で送信されるように示されている、新規のページングコンフィグレーション情報を受信することができる、あるいは、ページングコンフィグレーションが変更されたどうかを判定することができる。後者の場合、端末デバイス２００が、例えば、受信した指示に基づいて、ページングコンフィグレーションが変更されていないと判定する場合、既に受信しているページングコンフィグレーション情報を使用することを継続して、ページングコンフィグレーション情報を新規に受信するためのステップ群を省略することができる。
【００９０】
ステップ５０８で、端末デバイス２００は、オプションとして、スリープモードに再度、入り、そして、ステップ５０９に示されるように、ＤＲＸ周期のアクティブ時間の開始で再度、スリープモードを離れることができる。ステップ５０８でスリープモードに再度、入ることは、例えば、次のページングオケージョンまでに利用可能な時間に依存して選択的に実行することができる。
【００９１】
端末デバイス２００は、次に、ネットワークノード１００／３００からのメッセージ５１０によって送信されるように示される図５でのページング情報を受信するために、ページングオケージョンあるいはページングオケージョン群を監視することができる。
【００９２】
図６は、移動ネットワークから端末デバイスへのページング情報の送信のための方法を示すフローチャートを示している。図６の方法は、端末デバイスで、例えば、端末デバイス２００で、上述の概念を実現するために使用することができる。
【００９３】
ステップ６１０で、端末デバイスは、ＤＲＸ周期のスリープモードに入る。スリープモードでは、端末デバイスは、移動ネットワークによって送信される一定のチャネル、特に、ダウンリンク制御チャネル、典型的には、ＰＣＨを監視していない。スリープモードでは、端末デバイスは、このようなチャネルを監視するために使用される受信機回路を無効にすることによって、エネルギーを節約することができる。ダウンリンク制御チャネルは、端末デバイスへページングコンフィグレーション情報を提供するために使用される。このページングコンフィグレーション情報は、端末デバイスへのページング情報の送信のためのページングオケージョンを定義する。いくつかの状況では、ページングコンフィグレーションは、更に、上述のページングオケージョンの後に発生する１つ以上の追加のページングオケージョンを定義することができる。換言すれば、ページングコンフィグレーション情報が複数のページングオケージョンを定義する場合、図６で参照されるページングオケージョンは、これらのページングオケージョンの内で最一時的に最初のものとなる。
【００９４】
ページングＤＲＸ周期とも参照することができる、ページング情報の受信のために端末デバイスによって適用されるＤＲＸ周期は、典型的には、端末デバイスによって受信される最新のページングコンフィグレーション情報によって定義される。より詳しくは、ＤＲＸ周期のアクティブ時間は、端末デバイスがスリープモードでない場合、このページングコンフィグレーション情報によって定義されるページングオケージョンの始まりで開始する。アクティブ時間は、端末デバイスがダウンリンク制御チャネル及びページング情報用のＰＣＨを少なくとも一方を監視している場合の時間期間である。また、アクティブ時間中には、端末デバイスは、移動ネットワークによって送信される他のチャネル、例えば、他の制御チャネルを監視することもできる。従って、アクティブ時間中は、このようなチャネルを監視するために使用される受信機回路が有効にされる（アクティベートされる）。アクティブ時間の終了で、例えば、ページングオケージョンの終了で、あるいは最新のページングオケージョンの終了で、複数のページングオケージョンが定義される場合、端末デバイスは、スリープモードに入ることができる。いくつかの状況では、このような複数のページングオケージョンの間でスリープモードに入ることもできる。
【００９５】
ステップ６２０で、端末デバイスは、スリープモードを離れるために促進ウェイクアップ時間ＡＷを判定する。促進ウェイクアップ時間は、例えば、図２及び図３に示されるような、ＤＲＸ周期のアクティブ時間の開始に関する促進時間間隔ΔＡによって促進される（早められる）。
【００９６】
ステップ６３０で、端末デバイスは、スリープモードを離れて、移動ネットワークからのページングコンフィグレーション情報に関するダウンリンク制御チャネルを監視することを開始する。この処理は、ステップ６３０で判定される促進ウェイクアップ時間ＡＷで達成される。この処理は、移動ネットワークから新規のページングコンフィグレーション情報を受信することを含んでいても良い。また、この処理は、最新の受信したページングコンフィグレーション情報に対して、ページングコンフィグレーション情報が変更されかどうかをチェックすることを含んでいても良い。ダウンリンク制御チャネルの監視、及び、新規のあるいは未変更のページングコンフィグレーション情報の検索の後、あるいはステップ６３０でのページングコンフィグレーションが変更されていないことの判定の後、端末デバイスは、ステップ６４０で、スリープモードに再度、入ることができる。
【００９７】
ステップ６５０で、端末デバイスは、移動ネットワークからページング情報を受信するために、ページングコンフィグレーション情報によって定義されるページングオケージョンを監視する。ダウリンク制御チャネルの監視、及び、ステップ６３０でのページングコンフィグレーション情報での変更の検索あるいはチェックの後に端末デバイスがスリープモードに再度、入る場合、ステップ６４０は、ページングコンフィグレーション情報に基づいて、即ち、ＤＲＸ周期に従って、スリープモードを離れることを含んでいても良い。
【００９８】
ステップ６２０で、様々な手順を、促進時間間隔ΔＡを判定するために使用することができる。例えば、端末デバイスは、ページングコンフィグレーション情報の過去の変更に関する履歴データを保持して、その履歴データに基づいて促進時間ΔＡを判定することができる。このような履歴データは、過去に受信したＳＩパラメータあるいは端末デバイス自身によって収集されたデータ、に基づいている、あるいは、を含んでいる。加えて、あるいは代替として、端末デバイスは、スリープモードに入る時点と、ＤＲＸ周期のアクティブ時間の開始の時点との間のスリープ期間の長さに基づいて、促進時間間隔ΔＡを判定することができる。加えて、あるいは代替として、端末デバイスは、少なくとも１つの確率値を判定して、その少なくとも１つの判定された確率値に基づいて促進時間間隔ΔＡを判定することができる。このような確率値あるいは確率値群は、例えば、端末デバイスがスリープモードであった間にページングコンフィグレーション情報が変更されている確率、端末デバイスがスリープモードであった間に移動ネットワークの別のセルへ端末デバイスが移動している確率、及びページングオケージョンを監視することを端末デバイスが失敗している確率の内の少なくとも１つを表している。いくつかの状況では、端末デバイスは、移動ネットワークからこのような確率値（群）を受信することができる。加えて、あるいは代替として、端末デバイスは、ページングコンフィグレーション情報を検索するために、端末デバイスによって要求されるいくつかの受信ステップに基づいて、促進時間間隔ΔＡを判定することができる。いくつかの状況では、端末デバイスは、移動ネットワークから促進時間間隔ΔＡの指示を受信して、この指示から促進時間間隔ΔＡを判定することができる。このような指示は、例えば、ステップ６１０に入る前に受信されることになるであろう。
【００９９】
いくつかの状況では、端末デバイスは、ステップ６２０で判定される促進時間間隔ΔＡを移動ネットワークへ指示して、例えば、移動ネットワークのノードに促進時間間隔Δを気付かせることを行うことができる。
【０１００】
いくつかの状況では、端末デバイスは、ＤＲＸ周期のアクティブ期間の開始の前にページング情報を受信することもできる。例えば、移動ネットワークが促進時間間隔ΔＡに気付いていて、また、促進ウェイクアップ時間でスリープモードを離れる端末デバイスに気付いている場合、端末デバイスがスリープモードでない間に早期にページング情報を送信することを決定することができる。
【０１０１】
いくつかの状況では、端末デバイスは、ページングオケージョンの監視時に障害を検出することもできる。例えば、監視されているページングオケージョンがページング情報を端末デバイスへ送信するために移動ネットワークによって現在適用されているページングコンフィグレーションに対応していないこと、また、端末デバイスが現在の有効なページングコンフィグレーション情報によって定義されるページングオケージョンを損失していることが判明することがある。端末デバイスは、次に、その障害を移動ネットワークへ指示することができる。その移動ネットワークは、次に、損失した可能性のあるページング情報の再送信を送信することを決定し、これによって障害を回復する。
【０１０２】
図７は、移動ネットワークから端末デバイスへのページング情報の送信のための方法を示すフローチャートである。この方法は、移動ネットワークのノード内で、例えば、ＢＳ１００内で、あるいは制御ノード３００内で、上述の概念を実現するために使用することができる。図７の方法では、端末デバイスが移動ネットワークによって送信されるダウンリンク制御チャネル及びＰＣＨの少なくとも一方を監視していない場合に、端末デバイスがスリープモードに入っていることに従って、ＤＲＸ周期を適用するように構成されている。
【０１０３】
ステップ７１０で、ノードは、端末デバイスから指示を受信することができる。この指示は、特に、スリープモードを離れている端末デバイスに対する促進ウェイクアップ時間ＡＷを定義する促進時間間隔ΔＡを示している。促進ウェイクアップ時間ＡＷは、ＤＲＸ周期のアクティブ時間の開始に関する促進時間間隔ΔＡによって進められる。
【０１０４】
ステップ７２０で、ノードは、促進時間間隔ΔＡを判定する。この判定は、ステップ７１０で受信される指示に基づいて達成することができる。選択的には、ステップ７１０は省略することができ、また、ノードは、促進時間間隔ΔＡを判定するための１つ以上の手順を実行することができる。ノードは、端末デバイスの現存のセルにおけるページングコンフィグレーションが有効である、例えば、セルに関してのエリアを気付くことができる、あるいは、ノードは、近隣セル内のページングコンフィグレーションを気付くことができる、あるいはノードは、ページングコンフィグレーション情報の過去の変更に関する履歴データを保持して、ページングコンフィグレーションの有効性、近隣セルのページングコンフィグレーション、あるいは履歴データのような知識に基づいて促進時間間隔ΔＡを判定することができる。このような履歴データは、端末デバイスへ送信されるＳＩパラメータあるいはノードあるいはいくつかの他のデバイス、例えば、端末デバイスによって収集される他のデータに基づくことができる、あるいはそのＳＩパラメータあるいは他のデータを含むことができる。加えて、あるいは代替として、ノードは、スリープモードに入る時点とＤＲＸ周期のアクティブ時間の開始の時点との間のスリープ期間の長さに基づいて、促進時間間隔ΔＡを判定することができる。加えて、あるいは代替として、ノードは、少なくとも１つの確率値を判定して、また、その少なくとも１つの判定された確率値に基づいて促進時間間隔ΔＡを判定することができる。このような確率値あるいは確率値群は、例えば、端末デバイスがスリープモードであった間にページングコンフィグレーション情報が変更されている確率、端末デバイスがスリープモードであった間に端末デバイスが移動ネットワークの別のセルへ移動している確率、及び端末デバイスがページングオケージョンを監視することを失敗している確率の少なくとも１つを表すことができる。加えて、あるいは代替として、ノードは、ページングコンフィグレーション情報を検索するために、端末デバイスによって要求される受信ステップ群の数に基づいて、促進時間間隔ΔＡを判定することができる。また、他の例として、このような確率値あるいは確率値群は、ページングコンフィグレーションの有効性あるいは近隣セル内のページングコンフィグレーションの上述の取り得る知識に基づいて、端末デバイス２００が別のページングコンフィグレーションを有するセルへ移動している確率を表すことができる。いくつかの状況では、ネットワークノードは、このような確率値（群）を端末デバイスへ指示することができる。
【０１０５】
ステップ７３０で、ノードは、ページング情報の端末デバイスへの送信を制御する。この制御は、例えば、ステップ７２０の手順を使用するノードによって判定される促進時間間隔ΔＡの端末デバイスへ送信することを含んでいても良い。次に、端末デバイスは、自身の促進ウェイクアップ時間ＡＷを判定するために促進時間間隔ΔＡを使用することができる。この使用は、ネットワークノードが、ページング情報を端末デバイスへ送信するためのページングオケージョンを定義するページングコンフィグレーション情報を判定し、そのページングコンフィグレーション情報を端末デバイスへ送信することを含んでいても良い。これのために、ネットワークノードは、ダウンリンク制御チャネル上で、情報、例えば、ページングコンフィグレーションを送信するためのダウンリンクリソース割当を送信することもできる。ページングコンフィグレーション情報の実際の送信は、例えば、上述のＭＩＢ、ＳＩＢ１、及びＳＩＢ２を使用して、ダウンリンクリソース割当に従って達成することができる。このページングコンフィグレーションの送信は、促進時間間隔ΔＡによって定義される促進ウェイクアップ時間ＡＷの後で、かつ、ＤＲＸ周期のアクティブ時間の開始の前に、達成することができる。この送信は、また、促進ウェイクアップ時間ＡＷの後で、かつ、ＤＲＸ周期のアクティブ時間の開始の前に、ノードが端末デバイスへのページング情報の早期の送信を実行することを含むことができる。
【０１０６】
いくつかの状況では、ノードは、端末デバイスによるページングオケージョンを監視することの失敗の指示を端末デバイスから受信する場合がある。ページングオケージョンでページング情報が送信された場合、ノードは、ページング情報の再送信を送信することができる。
【０１０７】
図６の方法と図７の方法は、適宜、互いに組み合わせることができることが理解されるべきである。例えば、図６の方法でオプションとして実行される促進時間間隔ΔＡの移動ネットワークへの指示は、図７のステップ７１０でノードによって受信され、また、図７の方法に対する入力として使用することができるであろう。同様に、図７の方法でオプションとして実行される促進時間間隔ΔＡの端末デバイスへの指示は、図６のステップ６１０であるいはその前に端末デバイスによって受信され、図６の方法に対する入力として使用することができるであろう。また、図７の方法で送信されるページングコンフィグレーション情報あるいはページング情報は、端末デバイスによって受信され、そして、図６の方法の入力を形成することができる。
【０１０８】
図８は、端末デバイス２００において上述の概念を実現するための例示の構造を示す図である。
【０１０９】
図示の構造では、端末デバイス２００は、例えば、ＢＳ１００を介して、移動ネットワークからのデータ送信あるいは移動ネットワークへのデータ送信を実行するための無線インタフェース２３０を含んでいる。特に、この無線インタフェースは、上述のダウンリンク制御チャネルと上述のＰＣＨを監視するように構成することができる。送信機（ＴＸ）機能を実現するために、無線インタフェース２３０は、１つ以上の送信機２３４を含み、また、受信機（ＲＸ）機能を実現するために、無線インタフェース２３０は、１つ以上の受信機２３２を含んでいることが理解されるべきである。上述のＬＴＥの状況では、無線ンインタフェース２３０は、Ｅ−ＵＴＲＡＮのＬＴＥ−Ｕｕインタフェースに対応する。上述のＵＭＴＳの状況では、無線インタフェース２３０は、ＵＭＴＳ地上無線アクセスネットワーク（ＵＴＲＡＮ）のＵｕインタフェースに対応する。
【０１１０】
また、端末デバイス２００は、無線インタフェース２３０に接続されているプロセッサ２５０と、そのプロセッサ２５０に接続されているメモリ２６０とを含んでいる。メモリ２６０は、ＲＯＭ、例えば、フラッシュＲＯＭと、ＲＡＭ、例えば、ＤＲＡＭあるいはＳＲＡＭと、大容量記憶装置、例えば、ハードディスクあるいはソリッドステートディスクと、あるいはその類を含むことができる。メモリ２６０は、プロセッサ２５０によって実行される、適切に構成設定されたプログラムコードを含むことで、端末デバイス２００の上述の機能を実現する。より詳しくは、メモリ２６０は、上述の促進時間間隔ΔＡの判定を達成するための促進時間間隔判定モジュール２７０を含むことができる。また、メモリ２６０は、例えば、ページングコンフィグレーション情報を取得することによって、ページングオケージョンを監視するための、上述の端末デバイス２００のコンフィグレーション（構成設定）を達成するためのページング構成設定モジュール２８０を含むことができる。また、メモリ２６０は、上述の様々な制御動作、例えば、スリープモードへ入ること及びスリープモードを離れることを実行するための制御モジュール２９０を含むことができる。
【０１１１】
図８に示される構造は、単なる概要であり、明瞭にするために示していない、更なる構成要素、例えば、更なるインタフェースあるいは追加のプロセッサを端末デバイス２００が実際には含むことができることが理解されるべきである。また、メモリ２６０は、図示していない、更なるタイプのプログラムコードモジュールを含むことができることが理解されるべきである。例えば、メモリ２６０は、端末デバイスの典型的な機能を実現するためのプログラムコードモジュール、あるいはプロセッサ２５０によって実行される１つ以上のアプリケーションのプログラムコードを含むことができる。いくつかの実施形態に従えば、本発明の実施形態に従う概念を実現するためのコンピュータプログラム製品、例えば、メモリ２６０に記憶されているプログラムコード及び他のデータの少なくとも一方を記憶するコンピュータ可読媒体を提供することができる。
【０１１２】
図９は、ＢＳ１００で上述の概念を実現するための例示の構造を示している。
【０１１３】
図示される構造では、ＢＳ１００は、端末デバイス２００へのデータ送信あるいは端末デバイス２００からのデータ送信のための無線インタフェース１３０を含んでいる。送信機（ＴＸ）機能を実現するために、無線インタフェース１３０は、１つ以上の送信機１３４を含み、また、受信機（ＲＸ）機能を実現するために、無線インタフェース１３０は、１つ以上の受信機１３２を含んでいることが理解されるべきである。無線インタフェース１３０は、特に、上述のダウンリンク制御チャネルと上述のＰＣＨを送信するように構成することができる、即ち、端末デバイス２００へのデータ送信あるいは端末デバイス２００からのデータ送信を制御するためのサービスを提供するように構成することができる。上述のＬＴＥの状況では、無線ンインタフェース１３０は、Ｅ−ＵＴＲＡＮのＬＴＥ−Ｕｕインタフェースに対応する。上述のＵＭＴＳの状況では、無線インタフェース１３０は、ＵＴＲＡＮのＵｕインタフェースに対応する。また、ＢＳ１００は、移動ネットワークの他のノード、例えば、図１の制御ノード３００と通信するための制御インタフェース１４０を含むことができる。
【０１１４】
また、ＢＳ１００は、無線インタフェース１３０及び１４０に接続されているプロセッサ１５０と、そのプロセッサ１５０に接続されているメモリ１６０とを含んでいる。メモリ１６０は、ＲＯＭ、例えば、フラッシュＲＯＭと、ＲＡＭ、例えば、ＤＲＡＭあるいはＳＲＡＭと、大容量記憶装置、例えば、ハードディスクあるいはソリッドステートディスクと、あるいはその類を含むことができる。メモリ１６０は、プロセッサ１５０によって実行される、適切に構成設定されたプログラムコードを含むことで、ＢＳ１００の上述の機能を実現する。より詳しくは、メモリ１６０は、上述の促進時間間隔の判定を達成するための促進時間間隔判定モジュール１７０を含むことができる。また、メモリ１６０は、例えば、ページングコンフィグレーション情報を判定して端末デバイス２００へ送信することによって、及び／あるいは、判定された促進時間間隔ΔＡを端末デバイス２００へ指示することによって、ページング情報の端末デバイス２００への送信を制御するためのページング制御モジュール１８０を含むことができる。
【０１１５】
図９に示される構造は、単なる概要であり、明瞭にするために示していない、更なる構成要素、例えば、更なるインタフェースあるいは追加のプロセッサを、ＢＳ１００は実際には含むことができることが理解されるべきである。また、メモリ１６０は、図示していない、更なるタイプのプログラムコードモジュールを含むことができることが理解されるべきである。例えば、メモリ１６０は、ＢＳの典型的な機能、例えば、ｅＮＢあるいはＮＢの既知の機能を実現するためのプログラムコードモジュールを含むことができる。いくつかの実施形態に従えば、本発明の実施形態に従う概念を実現するためのコンピュータプログラム製品、例えば、メモリ１６０に記憶されているプログラムコード及び他のデータの少なくとも一方を記憶するコンピュータ可読媒体を提供することができる。
【０１１６】
図１０は、制御ノード３００で上述の概念を実現するための例示の構造を示している。
【０１１７】
図示される構造では、制御ノード３００は、移動ネットワークの他のノード、例えば、図１のＢＳと通信するための制御インタフェース３４０を含んでいる。この制御インタフェースは、端末デバイス２００へのデータ送信あるいは端末デバイスからのデータ送信を制御するために使用することができる。
【０１１８】
また、制御ノード３００は、制御インタフェース３４０に接続されているプロセッサ３５０と、そのプロセッサ３５０に接続されているメモリ３６０とを含んでいる。メモリ３６０は、ＲＯＭ、例えば、フラッシュＲＯＭと、ＲＡＭ、例えば、ＤＲＡＭあるいはＳＲＡＭと、大容量記憶装置、例えば、ハードディスクあるいはソリッドステートディスクと、あるいはその類を含むことができる。メモリ３６０は、プロセッサ３５０によって実行される、適切に構成設定されたプログラムコードを含むことで、制御ノード３００の上述の機能を実現する。より詳しくは、メモリ３６０は、上述の促進時間間隔の判定を達成するための促進時間間隔判定モジュール３７０を含むことができる。また、メモリ３６０は、例えば、ページングコンフィグレーション情報を判定して端末デバイス２００へ送信することによって、及び／あるいは、判定された促進時間間隔ΔＡを端末デバイス２００へ指示することによって、ページング情報の端末デバイス２００への送信を制御するためのページング制御モジュール３８０を含むことができる。
【０１１９】
図１０に示される構造は、単なる概要であり、明瞭にするために示していない、更なる構成要素、例えば、更なるインタフェースあるいは追加のプロセッサを、制御ノード３００は実際には含むことができることが理解されるべきである。例えば、制御ノード３００は、ユーザプレーンデータをＢＳ１００へ送信するための、また、ユーザプレーンデータをＢＳ１００から受信するためのインタフェースを有することができる。また、メモリ３６０は、図示していない、更なるタイプのプログラムコードモジュールを含むことができることが理解されるべきである。例えば、メモリ３６０は、制御ノード３００の典型的な機能、例えば、ＭＭＥあるいはＲＮＣの既知の機能を実現するためのプログラムコードモジュールを含むことができる。いくつかの実施形態に従えば、本発明の実施形態に従う概念を実現するためのコンピュータプログラム製品、例えば、メモリ３６０に記憶されているプログラムコード及び他データの少なくとも一方を記憶するコンピュータ可読媒体を提供することができる。
【０１２０】
明らかなように、上述の概念は、端末デバイス、例えば、ＭＴＣ端末デバイスあるいは他のタイプのＵＥに、ページングＤＲＸスリープモードの間に新規のセルへ入った後にページングコンフィグレーション情報を検索することを可能にするために使用することができ、これによって、ページングＤＲＸ周期の次回のアクティブ時間中でのページング情報の受信を失敗することを回避する。このことは、特に、例えば、数分、数時間のスリープ期間を伴う長いページングＤＲＸ周期の場合、あるいはそれより長いものが使用される場合にでさえ、有効である。このような長いページングＤＲＸ周期は、ＭＴＣ端末デバイス、例えば、センサデバイスだけでなく、他のタイプのＵＥに対する、関連エネルギー節約機能である。本明細書で記載される概念は、例えば、新規のセルでのウェイクアップのために、このような長いページングＤＲＸ周期中に発生する可能性があるページングコンフィグレーションのより大きな変更の確率に対して対処することを可能にする。この方法では、次のページングオケージョンまでに、ページングオケージョンの損失と、例えば、別のＤＲＸスリープ期間の関連する長い遅延を回避することができる。
【０１２１】
上述の例示と実施形態は単なる例示であり、様々な修正を受け入れることができることが理解されるべきである。例えば、この概念は、例えば、広帯域符号分割多元アクセス（ＷＣＤＭＡ）に基づいて、上述の例のＬＴＥ移動ネットワークあるいはＵＭＴＳ移動ネットワークとは異なるタイプの移動ネットワークで使用することができるであろう。また、この概念は、ＭＴＣ端末デバイスだけでなく、他のタイプのＵＥをサポートするために使用することができる。また、これに加えて、あるいはページングコンフィグレーション情報の代替として、１つ以上の他のパラメータを、促進ウェイクアップ時間時に、スリープからウェイクアップする場合の端末デバイスによって検索することができる。このようなパラメータの特徴に依存して、促進時間間隔を判定するための上述の考慮事項を適合させる必要がある場合がある。例えば、パラメータが一定のＳＩＢあるいはＭＩＢで送信される場合、このＳＩＢあるいはＭＩＢを受信するために必要とされる時間を考慮することができる。また、上述の概念は、既存の移動ネットワークノードあるいは端末デバイスでの設計済ソフトウェアを使用することによって、このような移動ネットワークノードあるいは端末デバイスの専用ハードウェアを使用することによって実現することができることが理解されるべきである。
【図１】
0006046236.tif 000002
【図２】
0006046236.tif 000003
【図３】
0006046236.tif 000004
【図４】
0006046236.tif 000005
【図５】
0006046236.tif 000006
【図６】
0006046236.tif 000007
【図７】
0006046236.tif 000008
【図８】
0006046236.tif 000009
【図９】
0006046236.tif 000010
【図１０】
0006046236.tif 000011